(57)【要約】【課題】多数の鍵装置を有し、各鍵装置に多数の指紋特徴情報を割り当てることにより各鍵装置を多数の者に共同使用させることを想定した大規模な鍵錠システムを実現する。【解決手段】バイオメトリクス認証無線鍵錠システム１は、複数の鍵装置２、複数の制御装置３および管理装置４を備えている。各鍵装置２の鍵装置識別情報および鍵装置使用者の指紋特徴情報などは管理装置４に登録する。さらに、鍵装置識別情報と指紋特徴情報との関連付けの形成なども管理装置４で行う。これにより、各鍵装置２を回収することなく、また、各室５に分散配置された制御装置３を操作するために建物内を巡回することなく、管理装置４を操作するだけで、鍵装置２の登録・抹消、指紋特徴情報の登録・抹消などを効率よく行い、また、鍵装置２の使用履歴や使用者履歴の管理などをきめ細かく行う。【選択図】図１
2008280810.tif 000002
【特許請求の範囲】
【請求項１】
複数の鍵装置、制御装置および管理装置を備えた鍵錠システムであって、
前記各鍵装置は、
当該鍵装置の第１鍵装置識別情報を記憶する第１鍵装置識別情報記憶手段と、
前記第１鍵装置識別情報記憶手段に記憶された第１鍵装置識別情報を無線通信方式により送信する識別情報送信手段と、
人体の特徴を示す第１特徴情報を人体から取得する特徴情報取得手段と、
前記特徴情報取得手段により取得された第１特徴情報を無線通信方式により送信する特徴情報送信手段とを備え、
前記制御装置は、
前記識別情報送信手段により送信された第１鍵装置識別情報を受信し、この第１鍵装置識別情報を前記管理装置に転送する識別情報転送手段と、
前記特徴情報送信手段により送信された第１特徴情報を受信し、この第１特徴情報を前記管理装置に転送する特徴情報転送手段と、
前記管理装置から送られた制御指令を受け取り、この制御指令に基づき、被制御装置に特定動作を行わせるための制御信号を前記被制御装置に出力する制御信号出力手段とを備え、
前記管理装置は、
第２鍵装置識別情報の登録および抹消を行う識別情報登録関連処理手段と、
前記識別情報登録関連処理手段により登録が行われた複数の前記第２鍵装置識別情報を記憶する第２鍵装置識別情報記憶手段と、
第２特徴情報の登録および抹消を行う特徴情報登録関連処理手段と、
前記特徴情報登録関連処理手段により登録が行われた複数の前記第２特徴情報を記憶する特徴情報記憶手段と、
前記識別情報登録関連処理手段により登録が行われた第２鍵装置識別情報と、前記特徴情報登録関連処理手段により登録が行われた複数の第２特徴情報との間に関連付けを形成する第１関連付け形成手段と、
前記識別情報転送手段により転送された第１鍵装置識別情報を受け取る識別情報受取手段と、
前記識別情報受取手段により受け取られた第１鍵装置識別情報と一致する第２鍵装置識別情報を、前記第２鍵装置識別情報記憶手段に記憶された複数の第２鍵装置識別情報の中から選択する識別情報選択手段と、
前記識別情報選択手段により選択された第２鍵装置識別情報に関連付けられた複数の第２特徴情報を、前記特徴情報記憶手段に記憶された複数の第２特徴情報の中から選択する特徴情報絞込手段と、
前記特徴情報転送手段により転送された第１特徴情報を受け取る特徴情報受取手段と、
前記特徴情報受取手段により受け取られた第１特徴情報との間において所定の同一性基準を満たす第２特徴情報を、前記特徴情報絞込手段により選択された複数の第２特徴情報の中から選択する特徴情報選択手段と、
前記特徴情報選択手段により第２特徴情報の選択が成功した場合に、前記被制御装置に特定動作を行わせるための前記制御指令を前記制御装置に送る制御指令送出手段とを備えていることを特徴とする鍵錠システム。
【請求項２】
複数の前記制御装置を備え、
前記管理装置は、
前記各制御装置の制御装置識別情報を記憶する制御装置識別情報記憶手段と、
前記制御装置識別情報記憶手段に記憶された制御装置識別情報と前記識別情報登録関連処理手段により登録が行われた第２鍵装置識別情報との間に関連付けを形成する第２関連付け形成手段とをさらに備え、
前記識別情報選択手段は、前記第２鍵装置識別情報記憶手段および前記制御装置識別情報記憶手段を参照し、これにより、前記識別情報受取手段により受け取られた第１鍵装置識別情報の転送元である制御装置の制御装置識別情報に関連付けられ、かつ前記識別情報受取手段により受け取られた第１鍵装置識別情報と一致する第２鍵装置識別情報を選択することを特徴とする請求項１に記載の鍵錠システム。
【請求項３】
前記管理装置は、前記識別情報登録関連処理手段により登録が行われた第２鍵装置識別情報と前記特徴情報登録関連処理手段により登録が行われた第２特徴情報との間の関連付けを追加し、消去しまたは変更する関連付け変更手段をさらに備えていることを特徴とする請求項１に記載の鍵錠システム。
【請求項４】
前記管理装置は、
前記識別情報受取手段により受け取られた第１鍵装置識別情報に基づいて前記鍵装置の使用履歴を示す使用履歴情報を生成し、かつ、前記特徴情報受取手段により受け取られた第１特徴情報に基づいて前記鍵装置の使用者履歴を示す使用者履歴情報を生成し、これら使用履歴情報および使用者履歴情報を記録装置に記録する履歴情報記録手段と、
前記履歴情報記録手段により前記記録装置に記録された使用履歴情報および使用者履歴情報を出力する履歴情報出力手段とをさらに備えていることを特徴とする請求項１に記載の鍵錠システム。
【請求項５】
自らを識別するための第１鍵装置識別情報を記憶する第１鍵装置識別情報記憶手段と、前記第１鍵装置識別情報記憶手段に記憶された第１鍵装置識別情報を無線通信方式により送信する識別情報送信手段と、人体の特徴を示す第１特徴情報を人体から取得する特徴情報取得手段と、前記特徴情報取得手段により取得された第１特徴情報を無線通信方式により送信する特徴情報送信手段とを備えた鍵装置と、
前記識別情報送信手段により送信された第１鍵装置識別情報を受信し、この第１鍵装置識別情報を転送する識別情報転送手段と、前記特徴情報送信手段により送信された第１特徴情報を受信し、この第１特徴情報を転送する特徴情報転送手段と、制御指令を受け取り、この制御指令に基づき、被制御装置に特定動作を行わせるための制御信号を前記被制御装置に出力する制御信号出力手段とを備えた制御装置と共に鍵錠システムを構成する管理装置であって、
第２鍵装置識別情報の登録および抹消を行う識別情報登録関連処理手段と、
前記識別情報登録関連処理手段により登録が行われた複数の前記第２鍵装置識別情報を記憶する第２鍵装置識別情報記憶手段と、
第２特徴情報の登録および抹消を行う特徴情報登録関連処理手段と、
前記特徴情報登録関連処理手段により登録が行われた複数の前記第２特徴情報を記憶する特徴情報記憶手段と、
前記識別情報登録関連処理手段により登録が行われた第２鍵装置識別情報と、前記特徴情報登録関連処理手段により登録が行われた複数の第２特徴情報との間に関連付けを形成する第１関連付け形成手段と、
前記識別情報転送手段により転送された第１鍵装置識別情報を受け取る識別情報受取手段と、
前記識別情報受取手段により受け取られた第１鍵装置識別情報と一致する第２鍵装置識別情報を、前記第２鍵装置識別情報記憶手段に記憶された複数の第２鍵装置識別情報の中から選択する識別情報選択手段と、
前記識別情報選択手段により選択された第２鍵装置識別情報に関連付けられた複数の第２特徴情報を、前記特徴情報記憶手段に記憶された複数の第２特徴情報の中から選択する特徴情報絞込手段と、
前記特徴情報転送手段により転送された第１特徴情報を受け取る特徴情報受取手段と、
前記特徴情報受取手段により受け取られた第１特徴情報との間において所定の同一性基準を満たす第２特徴情報を、前記特徴情報絞込手段により選択された複数の第２特徴情報の中から選択する特徴情報選択手段と、
前記特徴情報選択手段により第２特徴情報の選択が成功した場合に、前記被制御装置に特定動作を行わせるための前記制御指令を前記制御装置に送る制御指令送出手段とを備えていることを特徴とする管理装置。
【請求項６】
請求項５に記載の管理装置としてコンピュータを機能させることを特徴とするコンピュータプログラム。
【発明の詳細な説明】
【技術分野】
【０００１】
本発明は、バイオメトリクス認証、および鍵装置と錠側の制御装置・管理装置との間の無線通信により、扉の錠の開閉、自動車エンジンの始動、医療機器の操作、コンピュータの起動、コンピュータシステムへのログイン、ファクトリーオートメーションシステムの操作その他機器、装置またはシステムなどの動作を制御する鍵錠システムに関する。
【背景技術】
【０００２】
現在、バイオメトリクス認証装置と電気錠とを組み合わせたシステム錠が普及している。指紋認証を利用した扉用のシステム錠の場合、指紋センサを搭載した指紋認証装置を扉近傍に設置し、指紋認証装置と電気錠とをリード線やケーブルなどの電線を用いて接続する。解錠を望む者は、自分の指紋を指紋センサにより読み取らせる。指紋認証装置は、指紋センサにより読み取られた指紋の情報と、指紋認証装置に予め登録された指紋の情報とが一致した場合に限り、解錠する。このようなシステム錠では鍵が不要である。
【０００３】
一方、鍵装置と錠制御装置とを備えたバイオメトリクス認証無線鍵錠システムが知られている。例えば、指紋認証を利用したバイオメトリクス認証無線鍵錠システムの場合、鍵装置に設けられた指紋センサを用いて指紋の情報を取得し、この取得した指紋の情報と、鍵装置に予め記憶された指紋の情報とを照合する。そして、照合に成功した場合には、解錠許可信号を無線通信方式により鍵装置から錠制御装置に送信する。錠制御装置は、鍵装置から送信された解錠許可信号を受信し、この信号に応じて電気錠を制御し、扉を解錠する（特開２００３−２８６７８１号公報、第３頁、第２列、第２７行から第４１行まで参照）。
【０００４】
また、鍵装置において取得した指紋の情報を鍵装置から錠制御装置に送信し、錠制御装置において、鍵装置から送信された指紋の情報と予め記憶された指紋の情報とを照合する構成を持つバイオメトリクス認証無線鍵錠システムも知られている（特開平１１−９３４７８号公報、第４頁、第１列、第１５行から第３６行まで参照）。
【０００５】
また、鍵装置または錠制御装置に複数のバイオメトリクス情報を登録することができるバイオメトリクス認証無線鍵錠システムも知られている（特開２００４−７０７７８号公報、第５頁、第７行から第６頁、第１４行まで参照）。
【０００６】
さて、上述したシステム錠もバイオメトリクス認証無線鍵錠システムも、バイオメトリクス情報を登録した者でなければ、扉の解錠などを行うことができない。それゆえ、両者いずれもセキュリティ性が優れている。
【０００７】
他方、上述したシステム錠とバイオメトリクス認証無線鍵錠システムとを比較すると、バイオメトリクス認証無線鍵錠システムには次のようなメリットがある。
【０００８】
例えば、指紋認証を利用したシステム錠では、指紋の情報を登録した者であれば、扉近傍に配置された共用の指紋センサに指紋を読み取らせることにより、誰でもいつでも扉を解錠することができてしまう。これに対し、バイオメトリクス認証無線鍵錠システムでは、指紋の情報を登録した者であっても鍵装置を所持していなければ、指紋センサに指紋を読み取らせることができず、この結果、扉を解錠することができない。つまり、バイオメトリクス認証無線鍵錠システムによれば、鍵装置の所持・不所持に基づいて入室制限を行うことができる。
【０００９】
また、我々は、昔から、鍵と錠との組み合わせにより入室管理などを行ってきている。このため、鍵を利用した様々な管理手法や管理ノウハウが考えられている。バイオメトリクス認証無線鍵錠システムによれば、鍵を利用した様々な管理手法や管理ノウハウを、鍵を鍵装置に置きかえるだけで、ほぼそのまま利用することができる。
【００１０】
また、バイオメトリクス認証を利用したシステム錠では、バイオメトリクスセンサを屋外の扉近傍などに露出可能な状態で配置する必要がある。このため、屋外の劣悪な環境に耐えうる高価な保護機構を用いてバイオメトリクスセンサを保護する必要があり、あるいはバイオメトリクスセンサを備えた認証装置の設置場所を例えば建物のエントランス内などに限定する必要がある。これに対し、バイオメトリクス認証無線鍵錠システムでは、バイオメトリクスセンサが鍵装置に設けられており、鍵装置は使用者の良好な管理の下にある。それゆえ、バイオメトリクスセンサを保護するための保護機構は安価のもので足りる場合が多い。また、バイオメトリクス認証無線鍵錠システムでは、屋外に露出可能な状態で配置する必要のあるバイオメトリクスセンサが錠制御装置側にないので、錠制御装置の設置場所の限定を緩やかにすることができる。
【００１１】
【特許文献１】特開２００３−２８６７８１号公報
【特許文献２】特開平１１−９３４７８号公報
【特許文献３】特開２００４−７０７７８号公報
【発明の開示】
【発明が解決しようとする課題】
【００１２】
ところで、バイオメトリクス認証無線鍵錠システムを、例えば、多数の室を有し、多数の者が利用する大きな建物の入出管理に適用することが望まれる。
【００１３】
しかし、例えば室ごとに異なる鍵装置を用意する場合、室数が多くなると鍵装置の個数も多くなる。さらに、各鍵装置を複数の者で共同使用する場合には、各鍵装置に対し複数のバイオメトリクス情報を登録しなければならない。この結果、各鍵装置に対するバイオメトリクス情報の登録作業が煩雑化するおそれがある。また、登録後、各鍵装置に誰のバイオメトリクス情報が登録されているかを確認するのが困難になる。
【００１４】
さらに、使用が許された室が変更された場合、あるいは各鍵装置の使用を許された者が変更された場合には、各鍵装置に対するバイオメトリクス情報の追加登録または登録抹消を行う必要がある。鍵装置の個数や各鍵装置に登録されたバイオメトリクス情報の個数が多くなると、バイオメトリクス情報の追加登録作業または登録抹消作業が煩雑化するおそれがある。殊に、特開２００３−２８６７８１号公報または特開２００４−７０７７８号公報に記載されているような、鍵装置にバイオメトリクス情報を記憶するタイプのバイオメトリクス認証無線鍵錠システムの場合には、バイオメトリクス情報の追加登録作業または登録抹消作業のために鍵装置を回収しなければならない。回収が必要な鍵装置の個数が多い場合には、回収作業だけでも大きな負担になるおそれがある。
【００１５】
また、鍵装置の個数や各鍵装置を共同使用する者が多くなると、鍵装置の使用状況を管理することが難しくなる。
【００１６】
また、鍵装置の個数や各鍵装置を共同使用する者、室数が多い場合には、バイオメトリクス認証無線鍵錠システムに多数のバイオメトリクス情報を登録する。このため、扉の解錠を制御するために、利用者から取得したバイオメトリクス情報を、登録された多数のバイオメトリクス情報と逐一照合しなければならなくなり、照合処理に時間がかかる。この結果、鍵装置使用時（被制御装置を実際に動作させるとき）における鍵錠システムのレスポンス性が低下する。
【００１７】
以上のような問題があるため、バイオメトリクス認証無線鍵錠システムを、例えば多数の室を有し、多数の者が利用する大きな建物の入出管理に適用することは難しい。
【００１８】
本発明は上記に例示したような問題点に鑑みなされたものであり、本発明の第１の課題は、多数の被制御装置があり、各被制御装置の動作制御を多数の者が行う場合であっても、各被制御装置の動作の管理を適切に行うことができる鍵錠システム、管理装置およびコンピュータプログラムを提供することにある。
【００１９】
本発明の第２の課題は、複数の鍵装置があり、各鍵装置を複数の者で共同使用する場合でも、バイオメトリクス情報（特徴情報）の登録、登録確認、追加登録または登録抹消の作業を簡単に行うことができる鍵錠システム、管理装置およびコンピュータプログラムを提供することにある。
【００２０】
本発明の第３の課題は、鍵装置の使用状況を容易に管理することができる鍵錠システム、管理装置およびコンピュータプログラムを提供することにある。
【００２１】
本発明の第４の課題は、多数のバイオメトリクス情報を取り扱う場合でも、鍵装置使用時（被制御装置を実際に動作させるとき）におけるレスポンス性を高めることができ、また、鍵装置使用者にとっての操作の容易性を高めることができる鍵錠システム、管理装置およびコンピュータプログラムを提供することにある。
【課題を解決するための手段】
【００２２】
上記課題を解決するために第１の発明は、複数の鍵装置、制御装置および管理装置を備えた鍵錠システムであって、前記各鍵装置は、当該鍵装置の第１鍵装置識別情報を記憶する第１鍵装置識別情報記憶手段と、前記第１鍵装置識別情報記憶手段に記憶された第１鍵装置識別情報を無線通信方式により送信する識別情報送信手段と、人体の特徴を示す第１特徴情報を人体から取得する特徴情報取得手段と、前記特徴情報取得手段により取得された第１特徴情報を無線通信方式により送信する特徴情報送信手段とを備えている。前記制御装置は、前記識別情報送信手段により送信された第１鍵装置識別情報を受信し、この第１鍵装置識別情報を前記管理装置に転送する識別情報転送手段と、前記特徴情報送信手段により送信された第１特徴情報を受信し、この第１特徴情報を前記管理装置に転送する特徴情報転送手段と、前記管理装置から送られた制御指令を受け取り、この制御指令に基づき、被制御装置に特定動作を行わせるための制御信号を前記被制御装置に出力する制御信号出力手段とを備えている。前記管理装置は、第２鍵装置識別情報の登録および抹消を行う識別情報登録関連処理手段と、前記識別情報登録関連処理手段により登録が行われた複数の前記第２鍵装置識別情報を記憶する第２鍵装置識別情報記憶手段と、第２特徴情報の登録および抹消を行う特徴情報登録関連処理手段と、前記特徴情報登録関連処理手段により登録が行われた複数の前記第２特徴情報を記憶する特徴情報記憶手段と、前記識別情報登録関連処理手段により登録が行われた第２鍵装置識別情報と、前記特徴情報登録関連処理手段により登録が行われた複数の第２特徴情報との間に関連付けを形成する第１関連付け形成手段と、前記識別情報転送手段により転送された第１鍵装置識別情報を受け取る識別情報受取手段と、前記識別情報受取手段により受け取られた第１鍵装置識別情報と一致する第２鍵装置識別情報を、前記第２鍵装置識別情報記憶手段に記憶された複数の第２鍵装置識別情報の中から選択する識別情報選択手段と、前記識別情報選択手段により選択された第２鍵装置識別情報に関連付けられた複数の第２特徴情報を、前記特徴情報記憶手段に記憶された複数の第２特徴情報の中から選択する特徴情報絞込手段と、前記特徴情報転送手段により転送された第１特徴情報を受け取る特徴情報受取手段と、前記特徴情報受取手段により受け取られた第１特徴情報との間において所定の同一性基準を満たす第２特徴情報を、前記特徴情報絞込手段により選択された複数の第２特徴情報の中から選択する特徴情報選択手段と、前記特徴情報選択手段により第２特徴情報の選択が成功した場合に、前記被制御装置に特定動作を行わせるための前記制御指令を前記制御装置に送る制御指令送出手段とを備えている。
【００２３】
また、第１の発明の鍵錠システムにおいて、複数の制御装置を備えてもよい。この場合、前記管理装置には、前記各制御装置の制御装置識別情報を記憶する制御装置識別情報記憶手段と、前記制御装置識別情報記憶手段に記憶された制御装置識別情報と前記識別情報登録関連処理手段により登録が行われた第２鍵装置識別情報との間に関連付けを形成する第２関連付け形成手段とを追加する。そして、前記識別情報選択手段は、前記第２鍵装置識別情報記憶手段および前記制御装置識別情報記憶手段を参照し、これにより、前記識別情報受取手段により受け取られた第１鍵装置識別情報の転送元である制御装置の制御装置識別情報に関連付けられ、かつ前記識別情報受取手段により受け取られた第１鍵装置識別情報と一致する第２鍵装置識別情報を選択する。
【００２４】
また、第１の発明の鍵錠システムにおいて、前記管理装置には、前記識別情報登録関連処理手段により登録が行われた第２鍵装置識別情報と前記特徴情報登録関連処理手段により登録が行われた第２特徴情報との間の関連付けを追加し、消去しまたは変更する関連付け変更手段を追加してもよい。
【００２５】
また、第１の発明の鍵錠システムにおいて、前記管理装置には、前記識別情報受取手段により受け取られた第１鍵装置識別情報に基づいて前記鍵装置の使用履歴を示す使用履歴情報を生成し、かつ、前記特徴情報受取手段により受け取られた第１特徴情報に基づいて前記鍵装置の使用者履歴を示す使用者履歴情報を生成し、これら使用履歴情報および使用者履歴情報を記録装置に記録する履歴情報記録手段と、前記履歴情報記録手段により前記記録装置に記録された使用履歴情報および使用者履歴情報を出力する履歴情報出力手段とを追加してもよい。
【００２６】
一方、上記課題を解決するために第２の発明は、自らを識別するための第１鍵装置識別情報を記憶する第１鍵装置識別情報記憶手段と、前記第１鍵装置識別情報記憶手段に記憶された第１鍵装置識別情報を無線通信方式により送信する識別情報送信手段と、人体の特徴を示す第１特徴情報を人体から取得する特徴情報取得手段と、前記特徴情報取得手段により取得された第１特徴情報を無線通信方式により送信する特徴情報送信手段とを備えた鍵装置と、前記識別情報送信手段により送信された第１鍵装置識別情報を受信し、この第１鍵装置識別情報を転送する識別情報転送手段と、前記特徴情報送信手段により送信された第１特徴情報を受信し、この第１特徴情報を転送する特徴情報転送手段と、制御指令を受け取り、この制御指令に基づき、被制御装置に特定動作を行わせるための制御信号を前記被制御装置に出力する制御信号出力手段とを備えた制御装置と共に鍵錠システムを構成する管理装置であって、第２鍵装置識別情報の登録および抹消を行う識別情報登録関連処理手段と、前記識別情報登録関連処理手段により登録が行われた複数の前記第２鍵装置識別情報を記憶する第２鍵装置識別情報記憶手段と、第２特徴情報の登録および抹消を行う特徴情報登録関連処理手段と、前記特徴情報登録関連処理手段により登録が行われた複数の前記第２特徴情報を記憶する特徴情報記憶手段と、前記識別情報登録関連処理手段により登録が行われた第２鍵装置識別情報と、前記特徴情報登録関連処理手段により登録が行われた複数の第２特徴情報との間に関連付けを形成する第１関連付け形成手段と、前記識別情報転送手段により転送された第１鍵装置識別情報を受け取る識別情報受取手段と、前記識別情報受取手段により受け取られた第１鍵装置識別情報と一致する第２鍵装置識別情報を、前記第２鍵装置識別情報記憶手段に記憶された複数の第２鍵装置識別情報の中から選択する識別情報選択手段と、前記識別情報選択手段により選択された第２鍵装置識別情報に関連付けられた複数の第２特徴情報を、前記特徴情報記憶手段に記憶された複数の第２特徴情報の中から選択する特徴情報絞込手段と、前記特徴情報転送手段により転送された第１特徴情報を受け取る特徴情報受取手段と、前記特徴情報受取手段により受け取られた第１特徴情報との間において所定の同一性基準を満たす第２特徴情報を、前記特徴情報絞込手段により選択された複数の第２特徴情報の中から選択する特徴情報選択手段と、前記特徴情報選択手段により第２特徴情報の選択が成功した場合に、前記被制御装置に特定動作を行わせるための前記制御指令を前記制御装置に送る制御指令送出手段とを備えている。
【発明の効果】
【００２７】
上述した第１の発明の鍵錠システムでは、第２鍵装置識別情報および第２特徴情報を管理装置に登録し、管理装置に記憶する。さらに、第２鍵装置識別情報と第２特徴情報との関連付けの形成も管理装置において行い、これらの関連付けに関する情報も管理装置に保持される。これにより、第２鍵装置識別情報および第２特徴情報を登録する作業、並びに第２鍵装置識別情報と第２特徴情報との間に関連付けを形成する作業を、管理装置を操作するだけで簡単に効率よく行うことができる。また、すでに登録された第２鍵装置識別情報、すでに登録された第２特徴情報、およびすでに形成された第２鍵装置識別情報と第２特徴情報との関連付けの確認作業を、管理装置を操作するだけで簡単に効率よく行うことができる。また、第２鍵装置識別情報の登録抹消作業および第２特徴情報の登録抹消作業を、管理装置を操作するだけで簡単に効率よく行うことが可能になる。
【００２８】
また、第２鍵装置識別情報と第２特徴情報との間の関連付けを追加し、消去しまたは変更する関連付け変更手段を管理装置に追加することにより、第２鍵装置識別情報と第２特徴情報との関連付けを追加し、消去しまたは変更する作業を、管理装置を操作するだけで簡単に効率よく行うことが可能になる。
【００２９】
また、上述した第１の発明の鍵錠システムでは、鍵装置から制御装置を介して管理装置に第１特徴情報を送り、管理装置において第１特徴情報と第２特徴情報との照合を行う。それゆえ、鍵装置は第１特徴情報も第２特徴情報も保持しない。また、鍵装置は第１鍵装置識別情報を保持するが、第１鍵装置識別情報は当該鍵装置に専属し、基本的に変更不要の情報である。これにより、第２特徴情報の追加登録作業または登録抹消作業を行うのに鍵装置を操作する必要がない。したがって、第２特徴情報の追加登録作業または登録抹消作業を行うに当たり、鍵装置を回収する必要がない。
【００３０】
以上より、第１の発明の鍵錠システムによれば、多数の鍵装置の登録管理および各鍵装置を共同使用する者の特徴情報の登録管理を簡単にかつ効率よく行うことができる。これにより、多数の鍵装置を有し、各鍵装置に多数の特徴情報を割り当てることによって各鍵装置を多数の者に共同使用させることを想定した大規模な鍵錠システムを構築することが可能になる。つまり、第１の発明の鍵錠システムによれば、多数の被制御装置があり、各被制御装置の動作制御を多数の者が行う場合であっても、各被制御装置の動作の管理を適切に行うことができる。
【００３１】
また、第１の発明の鍵錠システムにおいて、複数の制御装置を備える場合には、各制御装置の制御装置識別情報を管理装置に記憶する。また、制御装置識別情報と第２鍵装置識別情報との間の関連付けの形成を管理装置において行い、これらの関連付けに関する情報も管理装置に保持される。これにより、使用する鍵装置の個数の変更を、管理装置を操作するだけで簡単に行うことができる。すなわち、新しい鍵装置を追加したり、使用しなくなった鍵装置を排除したりする場合には、この鍵装置の第２鍵装置識別情報と制御装置識別情報との関連付けを追加しまたは消去する作業をしなければならない。この作業を各制御装置を操作することなく、管理装置を操作するだけで簡単に行うことができる。特に、制御装置の個数が多い場合には、各制御装置を逐一操作する必要がないので、作業を大幅に簡単化することができ、作業効率を高めることができる。また、鍵装置と制御装置との対応関係を変更する場合には、第２鍵装置識別情報と制御装置識別情報との関連付けを変更する作業をしなければならないが、この作業も各制御装置を操作することなく、管理装置を操作するだけで簡単に行うことができる。
【００３２】
また、第２鍵装置識別情報と制御装置識別情報との関連付けの追加・消去・変更作業を行うに当たり制御装置を操作する必要がないので、制御装置にユーザーインターフェースを設ける必要がなくなる。これにより、制御装置を小型化することができ、制御装置を既存の被制御装置に組み込む（埋め込む）ことが可能になる。この結果、制御装置を様々な被制御装置に組み込むことが可能になり、鍵錠システムで制御可能な被制御装置の範囲を広げることができ、鍵錠システムの汎用性を高めることができる。
【００３３】
また、第１の発明の鍵錠システムにおいて、履歴情報記録手段および履歴情報出力手段を管理装置に追加し、各鍵装置の使用履歴を示す使用履歴情報および各鍵装置の使用者履歴を示す使用者履歴情報を生成し、これらの履歴情報を記録装置に記録し、または表示装置や印刷装置、遠隔地にある端末などに出力するようにしてもよい。鍵装置の使用時（被制御装置を実際に動作させるとき）には、鍵装置から制御装置を介して管理装置に第１鍵装置識別情報および第１特徴情報が送られる。これにより、管理装置は、第１鍵装置識別情報に基づいて鍵装置の使用履歴情報を生成することができ、第１特徴情報に基づいて鍵装置使用者の使用者履歴情報を生成することができる。このような構成を備えた鍵錠システムによれば、鍵装置の使用状況を管理装置により容易にかつ効率よく管理することができる。さらに、どの鍵装置を誰が使用したかを管理装置により把握することができるので、鍵装置の使用状況をきめ細かく管理することができる。これにより、多数の鍵装置を有し、各鍵装置に多数の特徴情報を割り当てることによって各鍵装置を多数の者に共同使用させることを想定した大規模な鍵錠システムを適切に運営することが可能になる。したがって、多数の被制御装置があり、各被制御装置の動作制御を多数の者が行う場合であっても、各被制御装置の動作の管理を適切に行うことが可能になる。
【００３４】
また、第１の発明の鍵錠システムでは、鍵装置から制御装置を介して管理装置に送られた第１特徴情報と、管理装置に登録されている第２特徴情報とを照合し、第１特徴情報との間において所定の同一性基準を満たす第２特徴情報を選択する。この第２特徴情報の選択が成功したときに、被制御装置の動作を許可する。第１の発明の鍵錠システムは、この第２特徴情報の選択を次のように行う。まず、鍵装置から制御装置を介して送られた第１鍵装置識別情報と一致する第２鍵装置識別情報を選択する。続いて、この第２鍵装置識別情報に関連付けられた複数の第２特徴情報を、管理装置に記憶された多数の第２特徴情報の中から選択する。続いて、これら選択された複数の第２特徴情報のそれぞれと、鍵装置から制御装置を介して送られた第１特徴情報とを照合し、この第１特徴情報との間において所定の同一性基準を満たす第２特徴情報を選択する。つまり、第１鍵装置識別情報または第２鍵装置識別情報を用いて、第１特徴情報の照合相手となる第２特徴情報を絞り込み、これら絞り込まれた第２特徴情報に対してのみ、第１特徴情報との照合処理を行う。これにより、照合処理を短時間で行うことができる。したがって、多数の特徴情報を取り扱う場合でも、鍵装置使用時（被制御装置を実際に動作させるとき）における鍵錠システムのレスポンス性を高めることができる。
【００３５】
また、第１の発明の鍵錠システムでは、第１特徴情報の照合相手となる第２特徴情報の絞り込みを、鍵装置が元来有している鍵装置識別情報（第１鍵装置識別情報または第２鍵装置識別情報）を用いて行う。つまり、第２特徴情報の絞り込みを行うための特別な情報を用いない。これにより、第２特徴情報の絞り込みを単純な構成で実現することができる。また、鍵装置識別情報は、鍵装置の記憶手段に記憶されており、鍵装置の使用時にその記憶手段から読み出され、鍵装置から制御装置を介して管理装置に送られ、第２特徴情報の絞り込みに用いられる。つまり、鍵装置使用者は、鍵装置使用時に、第２特徴情報の絞り込みを行うための特別な情報（例えばパスワードや暗証番号など）を入力する必要がない。これにより、鍵装置使用者にとっての操作の容易性を高めることができる。また、鍵装置使用時に鍵装置使用者がパスワードや暗証番号などを手入力する必要がないので、パスワードや暗証番号などを手入力するためのユーザーインターフェース（例えばテンキーなど）を鍵装置にも制御装置にも設ける必要がない。これにより、鍵装置の小型化を図ることができ、制御装置の小型化を図ることができる。特に制御装置の小型化を図ることができるので、制御装置を既存の被制御装置に容易に組み込むことが可能となり、これにより鍵錠システムを用いて様々な既存の被制御装置を制御することが可能になる。
【００３６】
第２の発明の管理装置によれば、鍵装置および制御装置と共に、上述した第１の発明の鍵錠システムを構築することができる。すなわち、多数の鍵装置の登録管理および各鍵装置を共同使用する者の特徴情報の登録管理を簡単にかつ効率よく行うことができる鍵錠システムを構築することができる。したがって、多数の鍵装置を有し、各鍵装置に多数の特徴情報を割り当てることによって各鍵装置を多数の者に共同使用させることを想定した大規模な鍵錠システムを実現することができる。これにより、多数の被制御装置があり、各被制御装置の動作制御を多数の者が行う場合であっても、各被制御装置の動作の管理を適切に行うことが可能になる。
【００３７】
また、第２の発明の管理装置によれば、多数の特徴情報を取り扱う場合でも、鍵装置使用時（被制御装置を実際に動作させるとき）における鍵錠システムのレスポンス性を高めることができ、また、鍵装置使用者にとっての操作の容易性を高めることができる。
【発明を実施するための最良の形態】
【００３８】
以下、本発明の実施の形態について図面を参照しながら説明する。
【００３９】
（システムの概要）
図１は、本発明の実施形態であるバイオメトリクス認証無線鍵錠システムを示している。図１に示すように、本発明の実施形態であるバイオメトリクス認証無線鍵錠システム１は、複数の鍵装置２、複数の制御装置３および１つの管理装置４を備えている。バイオメトリクス認証無線鍵錠システム１は、指紋認証、および各鍵装置２と各制御装置３との間の無線通信により、各室５の扉６に設けられた電気錠７の解錠を制御する。また、各鍵装置２には、複数の使用者Ｐが割り当てられている。これにより、各鍵装置２は当該鍵装置２に割り当てられた複数の使用者Ｐにより共同使用される。また、各制御装置３と管理装置４とは、ＬＡＮ（ローカルエリアネットワーク）、ＰＬＣ（電力線搬送通信）その他の有線通信路８により接続されている。
【００４０】
（鍵装置）
図２は各鍵装置２の構造を示している。鍵装置２は、鍵としての機能を有する。すなわち、鍵装置２は、当該鍵装置２の識別情報（チェック用鍵装置識別情報）および使用者の指紋の特徴情報を錠側の制御装置３・管理装置４に送ることにより、電気錠７の解錠制御のきっかけを作り出す機能を備えた装置である。鍵装置２は、例えば、掌に納まるほどに小型であり、片手で軽々と持ち上げることができるほどに軽量であり、使用者が携帯して容易に持ち運ぶことができる。
【００４１】
図２に示すように、鍵装置２は、初期鍵装置識別情報記憶部１１、特徴情報取得部１２、無線通信部１３、チェック用鍵装置識別情報記憶部１４および内部制御部１５を備えている。
【００４２】
初期鍵装置識別情報記憶部１１は鍵装置２の初期鍵装置識別情報を記憶する。初期鍵装置識別情報記憶部１１は例えばＲＯＭ（Ｒｅａｄ−Ｏｎｌｙ  Ｍｅｍｏｒｙ）などの不揮発性読取専用記憶素子により構成されている。
【００４３】
初期鍵装置識別情報は、鍵装置２を識別するための情報である。初期鍵装置識別情報は鍵装置２固有の情報であり、鍵装置２ごとに異なる。また、初期鍵装置識別情報は鍵装置２に専属し、基本的に不変の情報である。初期鍵装置識別情報は例えば鍵装置２の製造工程において与えられる。
【００４４】
特徴情報取得部１２は、解錠制御処理において、使用者の指から照合用特徴情報を取得する。例えば、特徴情報取得部１２は、指紋センサおよび指紋認証回路を備えている。指紋センサは使用者の指紋を読み取り、使用者の指紋を示す指紋画像情報を取得する。指紋認証回路は、指紋センサにより取得された指紋画像情報から指紋の特徴を抽出し、この抽出した指紋の特徴を示す照合用特徴情報を生成する。照合特徴情報のサイズは、指紋画像情報のサイズよりも小さく、例えば数十ないし数百バイト（より具体的には１２８バイト）であることが望ましい。なお、指紋の特徴を抽出する方式には、例えば特徴点抽出方式（マニューシャ方式）、パターンマッチング方式、特徴点抽出方式とパターンマッチング方式との組み合わせ、または周波数解析方式などを採用することが可能である。また、指紋センサの指紋検出方式には、静電容量式、感圧式、電界式、電界検知式または光学式などを採用することが可能である。
【００４５】
無線通信部１３は、鍵装置識別情報登録処理において、初期鍵装置識別情報記憶部１１に記憶された初期鍵装置識別情報を無線通信方式により管理装置４へ送信する。また、無線通信部１３は、鍵装置識別情報登録処理において、管理装置４から送信されたチェック用鍵装置識別情報を受信する。また、無線通信部１３は解錠制御処理においてチェック用鍵装置識別情報を制御装置３へ送信する。また、無線通信部１３は、解錠制御処理において、制御装置３から送信された暗号キーを受信する。また、無線通信部１３は、解錠制御処理において、特徴情報取得部１２により取得され、暗号キーにより暗号化された照合用特徴情報を解錠承認要求信号として無線通信方式により制御装置３へ送信する。無線通信部１３は、例えば無線通信回路により構成されている。
【００４６】
チェック用鍵装置識別情報記憶部１４は、鍵装置識別情報登録処理において、管理装置４から送信されたチェック用鍵装置識別情報を記憶する。チェック用鍵装置識別情報記憶部１４は例えばフラッシュメモリなどの不揮発性書換可能記憶素子により構成されている。
【００４７】
内部制御部１５は鍵装置２の全体的な制御を行う。内部制御部１５は、例えばＣＰＵ（Ｃｅｎｔｒａｌ  Ｐｒｏｃｅｓｓｉｎｇ  Ｕｎｉｔ）、ＲＯＭ、ＲＡＭ（Ｒａｎｄｏｍ−Ａｃｃｅｓｓ  Ｍｅｍｏｒｙ）を備えている。ＲＯＭには鍵装置２の全体的な制御を行うプログラムが記憶されており、ＣＰＵはＲＯＭからこのプログラムを読み出して実行する。ＣＰＵがプログラムを実行するときには作業メモリとしてＲＡＭが用いられる。また、内部制御部１５は、解除制御処理において、制御装置３から送信された暗号キーを用いて照合用特徴情報を暗号化する。
【００４８】
（制御装置）
図３は各制御装置３の構造を示している。制御装置３は、例えば室外で使用者が所持している鍵装置２と室内にある管理装置４との間の情報のやり取りを中継すると共に、管理装置４が発した制御指令（照合結果信号）に従って電気錠７を直接的に制御する機能を備えた装置である。制御装置３は、例えば、後述する構成要素２１ないし２４を小型の基板上に配置することにより構成されており、電気錠７に取り付けられ、または電気錠７に組み込まれ、あるいは電気錠７の近傍に設置されている。
【００４９】
図３に示すように、制御装置３は、無線通信部２１、有線通信部２２、制御信号出力部２３および内部制御部２４を備えている。
【００５０】
無線通信部２１は、解錠制御処理において、鍵装置２から送信されたチェック用鍵装置識別情報および解錠承認要求信号を受信する。また、無線通信部２１は解錠制御処理において暗号キーを鍵装置２へ送信する。無線通信部２１は例えば無線通信回路により構成されている。
【００５１】
有線通信部２２は、制御装置識別情報登録処理および解錠制御処理において、制御装置識別情報を管理装置４へ送出する。また、有線通信部２２は、解錠制御処理において、無線通信部２１により受信されたチェック用鍵装置識別情報を管理装置４に転送する。また、有線通信部２２は解錠制御処理において照合用特徴情報を管理装置４に転送する。また、有線通信部２２は、解錠制御処理において、管理装置４から送られた比較結果信号および照合結果信号（制御指令）を受け取る。また、有線通信部２２は、解錠制御処理において解錠信号を管理装置へ転送する。有線通信部２２は例えばＬＡＮ通信回路またはＰＬＣ通信回路により構成されており、ＬＡＮケーブルまたは電力線を介して管理装置４と接続されている。
【００５２】
制御信号出力部２３は、有線通信部２２により受け取られた照合結果信号（制御指令）に基づき、電気錠７を解錠するための解錠制御信号を電気錠７に出力する。制御信号出力部２３は例えば電気錠制御回路により構成されている。制御信号出力部２３はリード線またはケーブルなどの電線を介して電気錠７と接続されている。
【００５３】
内部制御部２４は、制御装置３を全体的に制御する。内部制御部２４は、例えばＣＰＵ、ＲＯＭ、ＲＡＭを備えている。ＲＯＭには制御装置３の全体的な制御を行うプログラムが記憶されており、ＣＰＵはＲＯＭからこのプログラムを読み出して実行する。ＣＰＵがプログラムを実行するときには作業メモリとしてＲＡＭが用いられる。また、内部制御部２４は、解錠制御処理において暗号キーを生成する。また、内部制御部２４は、解除制御処理において、無線通信部２１により受信された解錠承認要求信号を、暗号キーを用いて復号し、これにより照合用特徴情報を復元する。また、内部制御部２４は解除制御処理において拒絶制御処理を行う。
【００５４】
また、内部制御部２４のＲＯＭまたは有線通信部２２に設けられた記憶素子には、制御装置識別情報が記憶されている。制御装置識別情報は、制御装置３を識別するための情報である。制御装置識別情報は制御装置３固有の情報であり、制御装置３ごとに異なる。また、制御装置識別情報は制御装置３に専属し、基本的に不変の情報である。制御装置識別情報は例えば制御装置３の製造工程において与えられる。
【００５５】
（管理装置）
図４は管理装置４の構造を示している。管理装置４は、登録関連処理、鍵装置識別情報の一致判断、特徴情報の照合、電気錠７を解錠制御するための制御指令の送出、および履歴情報の記録・出力などを行う機能を備えた装置である。管理装置４は、例えばパーソナルコンピュータにコンピュータプログラムを読み込ませることにより具現化される。
【００５６】
図４に示すように、管理装置４は、有線通信部３１、識別情報登録関連処理部３２、特徴情報登録関連処理部３３、関連付け処理部３４、記憶部３５、識別情報一致判断部３６、特徴情報照合部３７、履歴情報処理部３８、情報出力部３９、無線通信部４０、登録用特徴情報取得部４１および内部制御部４２を備えている。
【００５７】
有線通信部３１は、制御装置識別情報登録処理および解錠制御処理において、制御装置３から送出された制御装置識別情報を受け取る。また、有線通信部３１は、解錠制御処理において、制御装置３から転送されたチェック用鍵装置識別情報および照合用特徴情報を受け取る。また、有線通信部３１は、解錠制御処理において、比較結果信号および照合結果信号（制御指令）を制御装置３へ送出する。また、有線通信部３１は、解錠制御処理において、制御装置３から解錠信号を受け取る。有線通信部３１は例えばＬＡＮ通信回路またはＰＬＣ通信回路により構成されており、ＬＡＮケーブルまたは電力線を介して制御装置３と接続されている。
【００５８】
識別情報登録関連処理部３２は、鍵装置識別情報登録処理において登録用鍵装置識別情報の登録を行う。また、識別情報登録関連処理部３２は、制御装置識別情報登録処理において制御装置識別情報の登録を行う。また、識別情報登録関連処理部３２は、登録用鍵装置識別情報の登録抹消および制御装置識別情報の登録抹消を行うことができる。
【００５９】
無線通信部４０は、鍵装置識別情報登録処理において、鍵装置２から初期鍵装置識別情報を受信すると共に、チェック用鍵装置識別情報を鍵装置２へ送信する。無線通信部４０は例えば無線通信回路により構成されている。
【００６０】
特徴情報登録関連処理部３３は、特徴情報登録処理において、登録用特徴情報の登録を行う。また、特徴情報登録関連処理部３３は、登録用特徴情報の登録抹消を行うことができる。
【００６１】
登録用特徴情報取得部４１は、特徴情報登録処理において、鍵装置２の使用者として登録する者の指から登録用特徴情報を取得する。例えば、特徴情報取得部４１は、指紋センサおよび指紋認証回路を備えている。指紋センサは使用者の指紋を読み取り、使用者の指紋を示す指紋画像情報を取得する。指紋認証回路は、指紋センサにより取得された指紋画像情報から指紋の特徴を抽出し、この抽出した指紋の特徴を示す登録用特徴情報を生成する。登録用特徴情報のサイズおよびデータ形式は照合用特徴情報と同じである。また、特徴情報取得部４１は、指紋画像情報から指紋の特徴を抽出する方式および指紋センサの指紋検出方式につき、鍵装置２の特徴情報取得部１２と同様の方式を採用している。
【００６２】
関連付け処理部３４は、鍵装置識別情報登録処理において、登録用鍵装置識別情報と制御装置識別情報との間に関連付けを形成すると共に、登録用鍵装置識別情報と登録用特徴情報との間に関連づけを形成する。また、関連付け処理部３４は、制御装置識別情報登録処理において、登録用鍵装置識別情報と制御装置識別情報との間に関連づけを形成する。また、関連付け処理部３４は、特徴情報登録処理において、登録用鍵装置識別情報と登録用特徴情報との間に関連づけを形成する。また、関連付け処理部３４は、登録用鍵装置識別情報と制御装置識別情報との間の関連付けの追加、消去および変更を行うことができる。また、関連付け処理部３４は、登録用鍵装置識別情報と登録用特徴情報との間の関連付けの追加、消去および変更を行うことができる。
【００６３】
記憶部３５は、識別情報登録関連処理部３２により登録された登録用鍵装置識別情報および制御装置識別情報を記憶する。また、記憶部３５は、特徴情報登録関連処理部３３により登録された登録用特徴情報を記憶する。記憶部３５には、複数の登録用鍵装置識別情報、複数の制御装置識別情報、複数の登録用特徴情報を記憶することができる。また、記憶部３５は、関連付け処理部３４により形成された登録用鍵装置識別情報と制御装置識別情報との間の関連付けを記憶する。また、記憶部３５は、関連付け処理部３４により形成された登録用鍵装置識別情報と登録用特徴情報との間の関連付けを記憶する。記憶部３５にはこれらの関連付けを複数記憶することができる。また、記憶部３５は使用履歴情報および使用者履歴情報を記憶する。記憶部３５は、大きな記憶容量を有する不揮発性の書換可能な記憶装置または記録装置により構成することが望ましい。
【００６４】
識別情報一致判断部３６は、解錠制御処理において、制御装置３から転送された制御装置識別情報に関連付けられた１つのまたは複数の登録用鍵装置識別情報を、記憶部３５に記憶された登録用鍵装置識別情報の中から、一致判断対象として選択する。そして、識別情報一致判断部３６は、制御装置３から転送されたチェック用鍵装置識別情報と、一致判断対象として選択された１つまたは複数の登録用鍵装置識別情報のそれぞれとの比較を行う。そして、識別情報一致判断部３６は、制御装置３から転送されたチェック用鍵装置識別情報と一致する登録用鍵装置識別情報を、一致判断対象として選択された１つまたは複数の登録用鍵装置識別情報の中から選択する。さらに、識別情報一致判断部３６は、チェック用鍵装置識別情報と一致する登録用鍵装置識別情報の選択が成功したか否かを示す比較結果信号を生成する。
【００６５】
特徴情報照合部３７は、解錠制御処理において、識別情報一致判断部３６により選択された登録用鍵装置識別情報に関連付けられた１つまたは複数の登録用特徴情報を、記憶部３５に記憶された登録用特徴情報の中から、照合対象として選択する。そして、特徴情報照合部３７は、制御装置３から転送された照合用特徴情報と、照合対象として選択された１つまたは複数の登録用特徴情報のそれぞれとの間で照合処理を行う。そして、特徴情報照合部３７は、制御装置３から転送された照合用特徴情報との間において所定の同一性基準を満たす登録用特徴情報を、照合対象として選択された１つまたは複数の登録用特徴情報の中から選択する。さらに、特徴情報照合部３７は、照合用特徴情報と所定の同一性基準を満たす登録用特徴情報の選択が成功したか否かを示す照合結果信号を生成する。この照合結果信号が電気錠７を解錠するための制御指令に当たる。
【００６６】
履歴情報処理部３８は、解錠制御処理において、鍵装置２および制御装置３の使用履歴を示す使用履歴情報を生成する。また、履歴情報処理部３８は、解錠制御処理において、鍵装置２の使用者履歴を示す使用者履歴情報を生成する。さらに、履歴情報処理部３８は、これら使用履歴情報および使用者履歴情報を記憶部３５に記憶（記録）する。
【００６７】
情報出力部３９は、履歴情報処理部３８により記憶部３５に記憶（記録）された使用履歴情報および使用者履歴情報を、例えば表示装置（ディスプレイ）や印刷装置（プリンタ）、あるいは遠隔地にある端末（インターネットを介して接続された端末）などを介して、人が目で確認できる状態で出力する。
【００６８】
内部制御部４２は、管理装置４の全体的な制御を行う。また、内部制御部４２は、鍵装置識別情報登録処理において、鍵装置２から受信した初期鍵装置識別情報を暗号化し、チェック用鍵装置識別情報を生成する。また、内部制御部４２は、解錠制御処理において、制御装置３から転送されたチェック用鍵装置識別情報を復号する。
【００６９】
識別情報登録関連処理部３２、特徴情報登録関連処理部３３、関連付け処理部３４、識別情報一致判断部３６、特徴情報照合部３７、履歴情報処理部３８、情報出力部３９および内部制御部４２は、例えばＣＰＵ、ＲＯＭ、ＲＡＭ、キーボード・マウスなどの入力装置、およびディスプレイ・プリンタなどの出力装置などから構成されている。ＲＯＭには、識別情報登録関連処理部３２、特徴情報登録関連処理部３３、関連付け処理部３４、識別情報一致判断部３６、特徴情報照合部３７、履歴情報処理部３８、情報出力部３９および内部制御部４２の機能を実現するためのプログラムが記憶されており、ＣＰＵはＲＯＭからこのプログラムを読み出して実行する。ＣＰＵがプログラムを実行するときには作業メモリとしてＲＡＭが用いられる。また、管理装置４の使用者（管理者）は、入力装置を用いて情報を入力することができ、出力装置を介して情報を目で確認することができる。
【００７０】
なお、管理装置４は、登録用鍵装置識別情報、制御装置識別情報、登録用特徴情報など、室５の入室管理のために重要な情報が集中して記憶されている。また、管理装置４は、鍵装置識別情報登録処理、制御装置識別情報登録処理および特徴情報登録処理などを実行することにより、室５の入室制限を変更することができる。このため、管理装置４を操作することができる者を、管理人などの特定の者に制限する仕組み（例えば二重のバイオメトリクス認証やロングパスワード認証によるログイン制限など）を管理装置４に追加してもよい。
【００７１】
（テーブル）
図５は、管理装置４の記憶部３５に記憶された３種類のテーブルを示している。記憶部３５には、登録用鍵装置識別情報と登録用特徴情報との間の関連付けが、鍵装置−特徴情報テーブル５１として記憶されている。鍵装置−特徴情報テーブル５１には、登録用鍵装置識別情報および登録用特徴情報が、登録用鍵装置識別情報と登録用特徴情報との間の対応関係を特定することができる所定の規則に基づいて配列されている。
【００７２】
また、記憶部３５には、登録用鍵装置識別情報と制御装置識別情報との間の関連付けが、鍵装置−制御装置テーブル５２として記憶されている。鍵装置−制御装置テーブル５２には、登録用鍵装置識別情報および制御装置識別情報が、登録用鍵装置識別情報と制御装置識別情報との間の対応関係を特定することができる所定の規則に基づいて配列されている。
【００７３】
また、記憶部３５には、登録用特徴情報と使用者識別情報との間の関連付けが、特徴情報−使用者テーブル５３として記憶されている。特徴情報−使用者テーブル５３には、登録用特徴情報および使用者識別情報が、登録用特徴情報と使用者識別情報との間の対応関係を特定することができる所定の規則に基づいて配列されている。なお、使用者識別情報は、鍵装置２の使用者を識別することができる情報であれば何でもよく、例えば個々の使用者ごとに異なるユニークな番号でもよいし、使用者の氏名を示す文字列でもよい。特徴情報−使用者テーブル５３を用いて、使用者の指紋の特徴情報と当該使用者の使用者識別情報とを関連付けることにより、使用者識別情報を用いて特徴情報を特定することができる。
【００７４】
例えば、図５に示すように、鍵装置−特徴情報テーブル５１において、登録用鍵装置識別情報Ｋ００１は、特徴情報Ｆ１および特徴情報Ｆ２と関連付けられている。一方、鍵装置−制御装置テーブル５２において、登録用鍵装置識別情報Ｋ００１は制御装置識別情報Ｌ００１と関連付けられている。また、特徴情報−使用者テーブル５３において、特徴情報Ｆ１は、使用者識別情報Ｐ００１と関連付けられている。
【００７５】
なお、図５中の鍵装置−特徴情報テーブル５１が示す通り、登録用鍵装置識別情報と登録用特徴情報との関連付けは一対一に限られない。１つの登録用鍵装置識別情報と複数の登録用特徴情報とを関連付けることもできるし、複数の登録用鍵装置識別情報と１つの登録用特徴情報とを関連付けることもできる。登録用鍵装置識別情報と登録用特徴情報との関連付けが一対一である場合には、特定の１つの鍵装置２を使用することができる者は特定の１人の者のみとなり、かつ当該特定の１人の者が使用することができる鍵装置２は当該特定の１つの鍵装置２のみとなる。しかし、１つの登録用鍵装置識別情報と複数の登録用特徴情報とを関連付けることにより、特定の１つの鍵装置２を特定の複数の者で共同使用することが可能になる。また、複数の登録用鍵装置識別情報と１つの登録用特徴情報とを関連付けることにより、特定の１人の者が特定の複数の鍵装置２を使用することが可能になる。
【００７６】
また、図５中の鍵装置−制御装置テーブル５２が示す通り、登録用鍵装置識別情報と制御装置識別情報との関連付けは一対一に限られない。１つの登録用鍵装置識別情報と複数の制御装置識別情報とを関連付けることもできるし、複数の登録用鍵装置識別情報と１つの制御装置識別情報とを関連付けることもできる。登録用鍵装置識別情報と制御装置識別情報との関連付けが一対一である場合には、特定の１つの鍵装置２により制御することができる制御装置３は特定の１つの制御装置３のみとなり、かつ、当該特定の１つの制御装置３を制御することができる鍵装置２は当該特定の鍵装置２のみとなる。つまり、この場合、特定の１つの鍵装置２により解錠することができる扉６は特定の１つの扉６のみとなり、かつ、当該特定の１つの扉６を解錠することができる鍵装置２は当該特定の鍵装置２のみとなる。しかし、１つの登録用鍵装置識別情報と複数の制御装置識別情報とを関連付けることにより、１つの鍵装置２で複数の制御装置３を制御することが可能になり、つまり１つの鍵装置２で複数の扉６を解錠することが可能になる。複数の登録用鍵装置識別情報と１つの制御装置識別情報とを関連付けることにより、複数の鍵装置２で１つの制御装置３を制御することが可能になり、つまり１つの扉６を複数の鍵装置２で解錠することが可能になる。
【００７７】
また、登録用特徴情報は、使用者の複数の指の指紋にそれぞれ対応する複数の特徴情報により構成してもよい。例えば、図５に示すように、使用者識別情報Ｐ００１が割り当てられた使用者の手の２〜１０本の指の指紋について２〜１０個の特徴情報ｆａ、ｆｂ、…を取得し、これら特徴情報ｆａ、ｆｂ、…をまとめて１つの登録用特徴情報Ｆ１として記憶部３５に記憶してもよい。
【００７８】
（システムの具体的な実施例）
図６は本発明のバイオメトリクス認証無線鍵錠システムの具体的な実施例を示している。図６に示すように、バイオメトリクス認証無線鍵錠システム１００は、鍵装置１０１、制御装置１０２および管理装置１０３を備えている。鍵装置１０１と制御装置１０２とは無線通信方式により通信を行う。制御装置１０２と管理装置１０３との間はＬＡＮケーブルで接続されており、両者はＬＡＮ通信方式により通信を行う。制御装置１０２には電気錠１０４がリード線を介して接続されており、制御装置１０２は電気錠１０４に制御信号を出力し、電気錠１０４の解錠制御を行う。
【００７９】
鍵装置１０１は、指紋センサ１１１、指紋認証回路１１２、無線通信回路１１３、フラッシュメモリ１１４、ＣＰＵ１１５、ＲＯＭ１１６およびＲＡＭ１１７を備えている。鍵装置１０１のこれらの構成要素は、図７に示すように、ほぼ直方体に形成された小型のケーシング内に収容されている。指紋センサ１１１の検出面はケーシングの表面に配置されている。
【００８０】
鍵装置１０１は図２中の鍵装置２の具体例に当たる。すなわち、指紋センサ１１１および指紋認証回路１１２は特徴情報取得部１２の具体例に当たり、無線通信回路１１３は無線通信部１３の具体例に当たり、フラッシュメモリ１１４はチェック用鍵装置識別情報記憶部１４の具体例に当たり、ＣＰＵ１１５、ＲＯＭ１１６およびＲＡＭ１１７は内部制御部１５の具体例に当たり、ＲＯＭ１１６は初期鍵装置識別情報記憶部１１の具体例に当たる。
【００８１】
また、制御装置１０２は、無線通信回路１２１、ＬＡＮ通信回路１２２、電気錠制御回路１２３、ＣＰＵ１２４、ＲＯＭ１２５およびＲＡＭ１２６を備えている。制御装置１０２のこれらの構成要素は、１つの小型の基板上に配置されている。なお、制御装置１０２のこれらの構成要素を集積し、１つのチップとして具現化してもよい。
【００８２】
制御装置１０２は、図３中の制御装置３の具体例に当たる。すなわち、無線通信回路１２１は無線通信部２１の具体例に当たり、ＬＡＮ通信回路１２２は有線通信部２２の具体例に当たり、電気錠制御回路１２３は制御信号出力部２３の具体例に当たり、ＣＰＵ１２４、ＲＯＭ１２５およびＲＡＭ１２６は内部制御部２４の具体例に当たる。
【００８３】
また、管理装置１０３は、ＬＡＮ通信回路１３１、大記憶容量のフラッシュメモリ１３２、ＣＰＵ１３３、ＲＯＭ１３４、ＲＡＭ１３５、キーボード１３６、ディスプレイ１３７、時計１３８、無線通信回路１３９および指紋入力装置１４０を備えている。管理装置１０３は例えばパーソナルコンピュータにより具現化することができる。
【００８４】
管理装置１０３は図４中の管理装置４の具体例に当たる。すなわち、ＬＡＮ通信回路１３１は有線通信部３１の具体例に当たり、フラッシュメモリ１３２は記憶部３５の具体例に当たり、ＣＰＵ１３３、ＲＯＭ１３４、ＲＡＭ１３５、キーボード・マウス１３６、ディスプレイ１３７および時計１３８は、識別情報登録関連処理部３２、特徴情報登録関連処理部３３、関連付け処理部３４、識別情報一致判断部３６、特徴情報照合部３７、履歴情報処理部３８、情報出力部３９および内部制御部４２の具体例に当たり、無線通信回路１３９は無線通信部４０の具体例に当たり、指紋入力装置１４０は登録用特徴情報取得部４１の具体例に当たる。
【００８５】
（鍵装置識別情報登録処理）
図８は鍵装置識別情報登録処理を示す。鍵装置識別情報登録処理は、新たな鍵装置２の登録用鍵装置識別情報をバイオメトリクス認証無線鍵錠システム１に登録する処理である。この処理は、解錠制御処理を行う前の準備段階において行う処理であり、例えばバイオメトリクス認証無線鍵錠システム１を導入するときや、バイオメトリクス認証無線鍵錠システム１に新たな鍵装置２を追加するときなどに行う。
【００８６】
バイオメトリクス認証無線鍵錠システム１の管理者が、管理装置４のキーボードなどを操作し、鍵装置識別情報登録処理を行う旨の指示を管理装置４に入力すると、これに応じ、管理装置４の内部制御部４２は、図１１に示すような登録・抹消指示入力フォーム６０を管理装置４のディスプレイに出力する。続いて、管理者が、登録・抹消指示入力フォーム６０中の新規登録ボタン６１をマウスでクリックすると、管理装置４は、鍵装置識別情報登録処理を開始する。
【００８７】
まず、管理装置４は、図８に示すように、初期鍵装置識別情報の受信を待機する状態になる（ステップＳ１）。
【００８８】
続いて、管理者または鍵装置２の使用者が新たな鍵装置２を操作し、初期鍵装置識別情報を管理装置４に送信すべき旨の指示をこの鍵装置２に入力する。これに応じ、鍵装置２の内部制御部１５は、初期鍵装置識別情報を初期鍵装置識別情報記憶部１１から読み出す。続いて、鍵装置２の無線通信部１３は、この初期鍵装置識別情報を管理装置４に送信する（ステップＳ２）。
【００８９】
続いて、管理装置４の無線通信部４０は、鍵装置２から送信された初期鍵装置識別情報を受信する。そして、管理装置４の識別情報登録関連処理部３２は、この初期鍵装置識別情報を登録用鍵装置識別情報として記憶部３５に記憶する（ステップＳ３）。
【００９０】
続いて、管理装置４の内部制御部４２は、ステップＳ３で受信した初期鍵装置識別情報を暗号化し、これによりチェック用鍵装置識別情報を生成する（ステップＳ４）。
【００９１】
続いて、管理装置４の無線通信部４０は、ステップＳ４で生成されたチェック用鍵装置識別情報を鍵装置２へ送信する（ステップＳ５）。
【００９２】
続いて、鍵装置２の無線通信部１３は、管理装置４から送信されたチェック用鍵装置識別情報を受信する。そして、鍵装置２の内部制御部１５は、このチェック用鍵装置識別情報をチェック用鍵装置識別情報記憶部１４に記憶する（ステップＳ６）。
【００９３】
続いて、管理装置４の関連付け処理部３４は、ステップＳ３で記憶部３５に記憶された登録用鍵装置識別情報と、すでに記憶部３５に記憶されている制御装置識別情報との間の関連付けを形成する。さらに、関連付け処理部３４は、ステップＳ３で記憶部３５に記憶された登録用鍵装置識別情報と、すでに記憶部３５に記憶されている登録用特徴情報との間の関連付けを形成する。（ステップＳ７）。
【００９４】
ステップＳ７における関連付けの形成は例えば次のような手順で行う。まず、管理装置４の内部制御部４２は、図１２に示すような関連付け指示入力フォーム８０を管理装置４のディスプレイに出力する。続いて、管理者が、関連付け指示入力フォーム８０中の追加ボタン８１をマウスでクリックすると、関連付け処理部３４は、すでに記憶部３５に記憶されている制御装置識別情報のリスト（図示せず）をディスプレイに表示する。管理者が、このリストの中から１つまたは複数の制御装置識別情報を選択する旨の指示を管理装置４に入力すると、これに応じ、関連付け処理部３４は、ステップＳ３で記憶された登録用鍵装置識別情報と、管理者により選択された１つまたは複数の制御装置識別情報とを所定の規則に基づいて鍵装置−制御装置テーブル５２中に配列する。
【００９５】
続いて、管理装置４の内部制御部４２は、図１２に示すような関連付け指示入力フォーム８０を管理装置４のディスプレイに再び出力する。続いて、管理者が、関連付け指示入力フォーム８０中の追加ボタン８５をマウスでクリックすると、関連付け処理部３４は、すでに記憶部３５に記憶されている登録用特徴情報に関連付けられた使用者識別情報のリスト（図示せず）をディスプレイに表示する。管理者が、このリストの中から１つまたは複数の使用者識別情報を選択する旨の指示を管理装置４に入力すると、これに応じ、関連付け処理部３４は、ステップＳ３で記憶された登録用鍵装置識別情報と、管理者により選択された１つまたは複数の使用者識別情報に関連付けられた登録用特徴情報とを所定の規則に基づいて鍵装置−特徴情報テーブル５１中に配列する。
【００９６】
以上より、新たな鍵装置２の登録用鍵装置識別情報の登録および関連付けの形成が完了する。この結果、図１１に示す登録・抹消指示入力フォーム６０中の鍵装置リスト６４に、当該新たな鍵装置２の登録用鍵装置識別情報が表示される。また、図１２に示す関連付け指示入力フォーム８０中の制御装置リスト８４には、当該新たな鍵装置２の登録用鍵装置識別情報と関連付けられた制御装置識別情報が表示される。さらに、関連付け指示入力フォーム８０中の使用者リスト８８には、当該新たな鍵装置２の登録用鍵装置識別情報と関連付けられた登録用特徴情報に対応する使用者識別情報が表示される。なお、登録・抹消指示入力フォーム６０および関連付け指示入力フォーム８０により、鍵装置２に関する登録および関連付けの状況を確認することができる。
【００９７】
（制御装置識別情報登録処理）
図９は制御装置識別情報登録処理を示す。制御装置識別情報登録処理は、新たな制御装置３の制御装置識別情報をバイオメトリクス認証無線鍵錠システム１に登録する処理である。この処理は、解錠制御処理を行う前の準備段階において行う処理であり、例えばバイオメトリクス認証無線鍵錠システム１を導入するときや、バイオメトリクス認証無線鍵錠システム１に新たな制御装置３（すなわち新たな室５）を追加するときなどに行う。
【００９８】
バイオメトリクス認証無線鍵錠システム１の管理者が、管理装置４のキーボードなどを操作し、制御装置識別情報登録処理を行う旨の指示を管理装置４に入力すると、これに応じ、管理装置４の内部制御部４２は、図１１に示すような登録・抹消指示入力フォーム６０を管理装置４のディスプレイに出力する。続いて、管理者が、登録・抹消指示入力フォーム６０中の新規登録ボタン６５をマウスでクリックすると、管理装置４は、制御装置識別情報登録処理を開始する。
【００９９】
まず、管理装置４の内部制御部４２は、図９に示すように、新たな制御装置３に対し、当該制御装置３の制御装置識別情報の送出を要求する。（ステップＳ１１）。
【０１００】
これに応じ、新たな制御装置３の有線通信部２２は、内部制御部２４のＲＯＭまたは有線通信部２２に設けられた記憶素子に記憶された制御装置識別情報を管理装置４へ送出する（ステップＳ１２）。
【０１０１】
続いて、管理装置４の有線通信部３１は、制御装置３から送出された制御装置識別情報を受け取る。そして、管理装置４の識別情報登録関連処理部３２は、この制御装置識別情報を記憶部３５に記憶する（ステップＳ１３）。
【０１０２】
続いて、管理装置４の関連付け処理部３４は、ステップＳ１３で記憶部３５に記憶された制御装置識別情報と、すでに記憶部３５に記憶されている登録用鍵装置識別情報との間の関連付けを形成する（ステップＳ１４）。制御装置識別情報と登録用鍵装置識別情報との間の関連付けを形成する手順は、鍵装置識別情報登録処理において登録用鍵装置識別情報と制御装置識別情報との間の関連付けを形成する手順と同じである（図８中のステップＳ７参照）。
【０１０３】
以上より、新たな制御装置３の制御装置識別情報の登録および関連付けの形成が完了する。この結果、図１１に示す登録・抹消指示入力フォーム６０中の制御装置リスト６８に、当該新たな制御装置３の制御装置識別情報が表示される。また、当該新たな制御装置３の制御装置識別情報と関連付けが形成された登録用鍵装置識別情報を有する鍵装置２に係る関連付け指示入力フォーム８０中の制御装置リスト８４には、当該新たな制御装置３の制御装置識別情報が表示される（図１２参照）。なお、登録・抹消指示入力フォーム６０および関連付け指示入力フォーム８０により、制御装置３に関する登録および関連付けの状況を確認することができる。
【０１０４】
（特徴情報登録処理）
図１０は特徴情報登録処理を示す。特徴情報登録処理は、鍵装置２の新たな使用者の登録用特徴情報をバイオメトリクス認証無線鍵錠システム１に登録する処理である。この処理は、解錠制御処理を行う前の準備段階において行う処理であり、例えばバイオメトリクス認証無線鍵錠システム１を導入するときや、鍵装置２の新たな使用者を追加するときなどに行う。
【０１０５】
バイオメトリクス認証無線鍵錠システム１の管理者が、管理装置４のキーボードなどを操作し、特徴情報登録処理を行う旨の指示を管理装置４に入力すると、これに応じ、管理装置４の内部制御部４２は、図１１に示すような登録・抹消指示入力フォーム６０を管理装置４のディスプレイに出力する。続いて、管理者が、登録・抹消指示入力フォーム６０中の新規登録ボタン６９をマウスでクリックすると、管理装置４は、特徴情報登録処理を開始する。
【０１０６】
まず、管理装置４は、図１０に示すように、新たな使用者の指紋の読取を待機する状態になる（ステップＳ２１）。
【０１０７】
続いて、鍵装置２の新たな使用者は、その指紋を登録用特徴情報取得部４１の指紋センサに読み取らせる。登録用特徴情報取得部４１の指紋センサは、新たな使用者の指紋を読み取り、これによりこの者の指紋画像情報を取得する。続いて、登録用特徴情報取得部４１の指紋認証回路は、指紋センサにより取得された指紋画像情報から指紋の特徴を抽出し、これにより登録用特徴情報を生成する（ステップＳ２２）。
【０１０８】
続いて、特徴情報登録関連処理部３３は、この登録用特徴情報を記憶部３５に記憶する（ステップＳ２３）。
【０１０９】
続いて、管理装置４の関連付け処理部３４は、ステップＳ２３で記憶部３５に記憶された新たな使用者の登録用特徴情報と、当該新たな使用者の使用者識別情報と間の関連付けを形成する（ステップＳ２４）。この関連付けの形成は例えば次のような手順で行う。まず、関連付け処理部３４は、新たな使用者の使用者識別情報の入力を要求する。これに応じ、管理者が新たな使用者の使用者識別情報を入力する。使用者識別情報の入力が完了した後、関連付け処理部３４は、ステップＳ２３で記憶された登録用特徴情報と、管理者により入力された使用者識別情報とを所定の規則に基づいて特徴情報−使用者テーブル５３中に配列する。
【０１１０】
続いて、関連付け処理部３４は、ステップＳ２３で記憶部３５に記憶された新たな使用者の登録用特徴情報と、すでに記憶部３５に記憶されている登録用鍵装置識別情報との間の関連付けを形成する（ステップＳ２５）。登録用特徴情報と登録用鍵装置識別情報との間の関連付けを形成する手順は、鍵装置識別情報登録処理において登録用鍵装置識別情報と登録用特徴情報との間の関連付けを形成する手順と同じである（図８中のステップＳ７参照）。
【０１１１】
以上より、鍵装置２の新たな使用者の登録用特徴情報の登録および関連付けの形成が完了する。この結果、図１１に示す登録・抹消指示入力フォーム６０中の使用者リスト７２に、当該新たな使用者の使用者識別情報が表示される。また、当該新たな使用者の登録用特徴情報と関連付けが形成された登録用鍵装置識別情報を有する鍵装置２に係る関連付け指示入力フォーム８０中の使用者リスト８８には、当該新たな使用者の使用者識別情報が表示される（図１２参照）。なお、登録・抹消指示入力フォーム６０および関連付け指示入力フォーム８０により、使用者および特徴情報に関する登録および関連付けの状況を確認することができる。
【０１１２】
（登録抹消処理および関連付け消去・変更処理）
一方、バイオメトリクス認証無線鍵錠システム１では、例えば次のような手順により、登録用鍵装置識別情報の登録抹消を行うことができる。すなわち、管理者は、管理装置４を操作し、図１１に示すような登録・抹消指示入力フォーム６０を管理装置４のディスプレイに出力させる。続いて、管理者は、登録・抹消指示入力フォーム６０中の鍵装置リスト６４に列挙された登録用鍵装置識別情報の中から、抹消したい登録用鍵装置識別情報をマウスで指定する。続いて、管理者は、抹消ボタン６２をマウスでクリックする。これに応じ、識別情報登録関連処理部３２は、管理者により指定された登録用鍵装置識別情報と制御装置識別情報との関連付け、この登録用鍵装置識別情報と登録用特徴情報との関連付け、およびこの登録用鍵装置識別情報を記憶部３５から消去する。
【０１１３】
また、バイオメトリクス認証無線鍵錠システム１では、例えば次のような手順により、制御装置識別情報の登録抹消を行うことができる。すなわち、管理者は、管理装置４を操作し、登録・抹消指示入力フォーム６０を管理装置４のディスプレイに出力させる。続いて、管理者は、登録・抹消指示入力フォーム６０中の制御装置リスト６８に列挙された制御装置識別情報の中から、抹消したい制御装置識別情報をマウスで指定する。続いて、管理者は、抹消ボタン６６をマウスでクリックする。これに応じ、識別情報登録関連処理部３２は、管理者により指定された制御装置識別情報と登録用鍵装置識別情報との関連付け、およびこの制御装置識別情報を記憶部３５から消去する。
【０１１４】
また、バイオメトリクス認証無線鍵錠システム１では、例えば次のような手順により、使用者識別情報および登録用特徴情報の登録抹消を行うことができる。すなわち、管理者は、管理装置４を操作し、登録・抹消指示入力フォーム６０を管理装置４のディスプレイに出力させる。続いて、管理者は、登録・抹消指示入力フォーム６０中の使用者リスト７２に列挙された使用者識別情報の中から、抹消したい使用者識別情報をマウスで指定する。続いて、管理者は、抹消ボタン７０をマウスでクリックする。これに応じ、特徴情報登録関連処理部３３は、管理者により指定された使用者識別情報に対応する登録用特徴情報と登録用鍵装置識別情報との関連付け、この使用者識別情報と登録用特徴情報との関連付け、並びにこれら使用者識別情報および登録用特徴情報を記憶部３５から消去する。
【０１１５】
また、バイオメトリクス認証無線鍵錠システム１では、例えば次のような手順により、登録用鍵装置識別情報と制御装置識別情報との間の関連付けの消去を行うことができる。すなわち、管理者は、管理装置４を操作し、図１２に示すような関連付け指示入力フォーム８０を管理装置４のディスプレイに出力させる。続いて、管理者は、関連付け指示入力フォーム８０中の制御装置リスト８４に列挙された制御装置識別情報の中から、関連付けを消去したい制御装置識別情報をマウスで指定する。続いて、管理者は、消去ボタン８２をマウスでクリックする。これに応じ、関連付け処理部３４は、管理者により指定された制御装置識別情報と登録用鍵装置識別情報との関連付けを消去する。これと同様の手順により、登録用鍵装置識別情報と制御装置識別情報との間の関連付けの変更、登録用鍵装置識別情報と登録用特徴情報との間の関連付けの消去・変更も行うことができる。
【０１１６】
（解錠制御処理）
図１３および図１４は解錠制御処理を示す。解錠制御処理は、バイオメトリクス認証無線鍵錠システム１により電気錠７の解錠制御を実際に行う処理である。
【０１１７】
バイオメトリクス認証無線鍵錠システム１の管理者が、管理装置４を操作し、解錠制御処理を行う旨の指示を管理装置４に入力すると、これに応じ、管理装置４は、解錠制御処理を開始する。
【０１１８】
まず、管理装置４は、図１３に示すように、初期鍵装置識別情報の受信を待機する状態になる（ステップＳ３１）。
【０１１９】
続いて、鍵装置２の使用者が鍵装置２を操作し、チェック用鍵装置識別情報を送信すべき旨の指示をこの鍵装置２に入力する。これに応じ、鍵装置２の内部制御部１５は、チェック用鍵装置識別情報をチェック用鍵装置識別情報記憶部１４から読み出す。続いて、鍵装置２の無線通信部１３は、このチェック用鍵装置識別情報を制御装置３に送信する（ステップＳ３２）。
【０１２０】
続いて、制御装置３の無線通信部２１は、鍵装置２から送信されたチェック用鍵装置識別情報を受信する（ステップＳ３３）。続いて、制御装置３の有線通信部２２は、このチェック用鍵装置識別情報および当該制御装置３の制御装置識別情報を管理装置４へ転送する（ステップＳ３４）。
【０１２１】
続いて、管理装置４の有線通信部３１は、制御装置３から転送されたチェック用鍵装置識別情報および制御装置識別情報を受け取る（ステップＳ３５）。続いて、管理装置４の内部制御部４２は、制御装置３から転送されたチェック用鍵装置識別情報を復号する（ステップＳ３６）。
【０１２２】
続いて、管理装置４の識別情報一致判断部３６は、制御装置３から転送された制御装置識別情報に関連付けられた１つのまたは複数の登録用鍵装置識別情報を、記憶部３５に記憶された登録用鍵装置識別情報の中から、一致判断対象として選択する（ステップＳ３７）。続いて、識別情報一致判断部３６は、ステップＳ３６で復号されたチェック用鍵装置識別情報と、一致判断対象として選択された１つまたは複数の登録用鍵装置識別情報のそれぞれとの比較を行う。そして、識別情報一致判断部３６は、復号されたチェック用鍵装置識別情報と一致する登録用鍵装置識別情報を、一致判断対象として選択された１つまたは複数の登録用鍵装置識別情報の中から選択する（ステップＳ３８）。続いて、識別情報一致判断部３６は、復号されたチェック用鍵装置識別情報と一致する登録用鍵装置識別情報の選択が成功したか否かを示す比較結果信号を生成する。そして、管理装置４の有線通信部３１は、この比較結果信号を制御装置３へ送出する（ステップＳ３９）。
【０１２３】
続いて、制御装置３の有線通信部２２は、管理装置４から送出された比較結果信号を受け取る（ステップＳ４０）。続いて、制御装置３の内部制御部２４は、比較結果信号に基づいて、復号されたチェック用鍵装置識別情報と一致する登録用鍵装置識別情報の選択が成功したか否かを判断する（ステップＳ４１）。
【０１２４】
そして、復号されたチェック用鍵装置識別情報と一致する登録用鍵装置識別情報の選択が成功しなかったときには（ステップＳ４１：ＮＯ）、制御装置３の内部制御部２４は拒絶制御処理を行う（ステップＳ４２）。拒絶制御処理では、例えば、制御装置３が鍵装置２および管理装置４に解錠制御処理を中途終了すべき旨の指令を送信する。これにより、制御装置３の制御信号出力部２３による制御信号の出力は行われず、この結果、電気錠７の解錠は行われない。
【０１２５】
一方、復号されたチェック用鍵装置識別情報と一致する登録用鍵装置識別情報の選択が成功したときには（ステップＳ４１：ＹＥＳ）、解錠制御処理は図１４中のステップＳ４３へ進む。
【０１２６】
図１４中のステップＳ４３において、制御装置３の内部制御部２４は、暗号キーを生成する。そして、制御装置３の無線通信部２１は、この暗号キーを鍵装置２へ送信する。なお、この暗号キーは、乱数や送信ごとに変化する数値、時々刻々と常時変化する数値などを利用して生成し、制御装置３から鍵装置２へ送信される度に変化することが望ましい。
【０１２７】
続いて、鍵装置２の無線通信部１３は、制御装置３から送信された暗号キーを受信する（ステップＳ４４）。
【０１２８】
続いて、鍵装置２の使用者は、その指紋を特徴情報取得部１２の指紋センサに読み取らせる。特徴情報取得部１２の指紋センサは、使用者の指紋を読み取り、これによりこの者の指紋画像情報を取得する（ステップＳ４５）。続いて、特徴情報取得部１２の指紋認証回路は、指紋センサにより取得された指紋画像情報から指紋の特徴を抽出し、これにより照合用特徴情報を生成する（ステップＳ４６）。続いて、鍵装置２の内部制御部１５は、この照合用特徴情報を、制御装置３から送信された暗号キーを用いて暗号化する（ステップＳ４７）。続いて、鍵装置２の無線通信部１３は、暗号化された照合用特徴情報を解錠承認要求信号として制御装置３へ送信する（ステップＳ４８）。
【０１２９】
続いて、制御装置３の無線通信部２１は、鍵装置２から送信された解錠承認要求信号を受信する（ステップＳ４９）。続いて、制御装置３の内部制御部２４は、この解錠承認要求信号を復号し、照合用特徴情報を復元する（ステップＳ５０）。続いて、制御装置３の有線通信部２２は、この照合用特徴情報を管理装置４へ転送する（ステップＳ５１）。
【０１３０】
続いて、管理装置４の有線通信部３１は、制御装置３から転送された照合用特徴情報を受け取る（ステップＳ５２）。続いて、管理装置４の特徴情報照合部３７は、図１３中のステップＳ３８で選択された登録用鍵装置識別情報に関連付けられた１つまたは複数の登録用特徴情報を、記憶部３５に記憶された登録用特徴情報の中から、照合対象として選択する（ステップＳ５３）。続いて、特徴情報照合部３７は、制御装置３から転送された照合用特徴情報と、照合対象として選択された１つまたは複数の登録用特徴情報のそれぞれとの間で照合処理を行う。そして、特徴情報照合部３７は、制御装置３から転送された照合用特徴情報との間において所定の同一性基準を満たす登録用特徴情報を、照合対象として選択された１つまたは複数の登録用特徴情報の中から選択する（ステップＳ５４）。続いて、特徴情報照合部３７は、照合用特徴情報と所定の同一性基準を満たす登録用特徴情報の選択が成功したか否かを示す照合結果信号を生成する。続いて、管理装置４の有線通信部３１は、この照合結果信号を制御装置３へ送出する（ステップＳ５５）。
【０１３１】
続いて、制御装置３の有線通信部２２は、管理装置４から送出された照合結果信号を受け取る（ステップＳ５６）。続いて、制御装置３の内部制御部２４は、照合結果信号に基づいて、照合用特徴情報と所定の同一性基準を満たす登録用特徴情報の選択が成功したか否かを判断する（ステップＳ５７）。
【０１３２】
そして、照合用特徴情報と所定の同一性基準を満たす登録用特徴情報の選択が成功しなかったときには（ステップＳ５７：ＮＯ）、制御装置３の内部制御部２４は拒絶制御処理を行う（ステップＳ５８）。拒絶制御処理では、例えば、制御装置３が鍵装置２および管理装置４に解錠制御処理を中途終了すべき旨の指令を送信する。これにより、制御装置３の制御信号出力部２３による制御信号の出力は行われず、この結果、電気錠７の解錠は行われない。
【０１３３】
一方、照合用特徴情報と所定の同一性基準を満たす登録用特徴情報の選択が成功したときには（ステップＳ５７：ＹＥＳ）、制御装置３の制御信号出力部２３は、解錠制御信号を電気錠７へ出力する（ステップＳ５９）。電気錠７は、この解錠制御信号に基づいて解錠動作を行う。これにより使用者は扉６を開け、室５に入ることが可能になる。
【０１３４】
電気錠７が解錠動作を完了すると、例えば電気錠７は直ちに解錠検知信号を制御装置３に返す。制御装置３はこの解錠検知信号を受け取る。続いて、制御装置３の内部制御部２４は解錠検知信号に基づいて、電気錠７の解錠動作が完了したことを示す解錠信号を生成する。そして、制御装置３の有線通信部２２は、この解錠信号を管理装置４に転送する（ステップＳ６０）。
【０１３５】
続いて、管理装置４の有線通信部３１は、制御装置３から転送された解錠信号を受け取る（ステップＳ６１）。続いて、管理装置４の履歴情報処理部３８は、使用履歴情報および使用者履歴を生成し、これらを記憶部３５に記憶する（ステップＳ６２）。
【０１３６】
（履歴情報処理）
使用履歴情報および使用者履歴情報の生成は、例えば次のような手順で行う。すなわち、履歴情報処理部３８は、図１３中のステップＳ３５で制御装置３から受け取った制御装置識別情報に基づいて使用制御装置特定情報を生成し、これを記憶部３５に記憶する。また、履歴情報処理部３８は、ステップＳ３５で制御装置３から受け取り、ステップＳ３６で復号されたチェック用鍵装置識別情報、またはステップＳ３８で選択された登録用鍵装置識別情報に基づいて使用鍵装置特定情報を生成し、これを記憶部３５に記憶する。また、履歴情報処理部３８は、図１４中のステップＳ５２で制御装置３から受け取った照合用特徴情報、またはステップＳ５４で選択された登録用特徴情報に基づいて使用者特定情報を生成し、これを記憶部３５に記憶する。また、履歴情報処理部３８は、ステップＳ６１で制御装置３から受け取った解錠信号に基づいて解錠事実情報および解錠日時情報を生成し、これらを記憶部３５に記憶する。そして、履歴情報処理部３８は、記憶部３５に記憶された使用制御装置特定情報、使用鍵装置特定情報、使用者特定情報、解錠事実情報および解錠日時情報に基づいて鍵装置２の使用履歴情報、制御装置３の使用履歴情報、および鍵装置２の使用者履歴情報を生成する。
【０１３７】
また、管理装置４の情報出力部３９は、図１５に示すように、履歴情報処理部３８により生成された制御装置３の使用履歴情報、鍵装置２の使用履歴情報、および鍵装置２の使用者履歴情報を整理した履歴情報テーブル９０を、例えば表示装置（ディスプレイ）や印刷装置（プリンタ）、あるいは遠隔地にある端末（インターネットを介して接続された端末）などを介して、人が目で確認できる状態で出力することができる。
【０１３８】
さらに、履歴情報処理部３８は履歴情報検索機能を備えている。例えば、履歴情報処理部３８は、履歴情報処理部３８により生成・蓄積された使用履歴情報および使用者履歴情報の中から、特定の期間や日付あるいは時間帯における使用履歴情報または使用者履歴情報を検索し、これらを情報出力部３９により出力することができる。また、履歴情報処理部３８は、特定の制御装置３（特定の室５）と関わりのある使用履歴情報または使用者履歴情報だけを、あるいは、特定の鍵装置２に関わりのある使用履歴情報または使用者履歴情報だけを、あるいは特定の鍵装置使用者に関わりのある使用履歴情報または使用者履歴情報だけを検索して出力することもできる。
【０１３９】
（活用例）
図１６ないし図２１は、バイオメトリクス認証無線鍵錠システム１のいくつかの活用例を示している。図１６および図１７に示すように、３つの鍵装置２ａ、２ｂ、２ｃの登録用鍵装置識別情報がそれぞれＫ００１、Ｋ００２、Ｋ００３であり、制御装置３ａの制御装置識別情報がＬ００１であるとする。そして、３人の鍵装置使用者Ｐａ、Ｐｂ、Ｐｃの登録用特徴情報がそれぞれＦ１、Ｆ２、Ｆ３であるとする。
【０１４０】
図１６および図１７は第１の活用例を示している。第１の活用例では、複数の鍵装置の登録用鍵装置識別情報のそれぞれに同一の制御装置識別情報が関連付けられ、かつ、当該複数の鍵装置の登録用鍵装置識別情報のそれぞれに同一の登録用特徴情報が関連付けられている。具体的には、図１７に示すように、登録用鍵装置識別情報Ｋ００１、Ｋ００２、Ｋ００３のそれぞれに制御装置識別情報Ｌ００１が関連付けられている。さらに、登録用鍵装置識別情報Ｋ００１に登録用特徴情報Ｆ１、Ｆ２、Ｆ３が関連付けられている。また、登録用鍵装置識別情報Ｋ００２にも登録用特徴情報Ｆ１、Ｆ２、Ｆ３が関連付けられており、登録用鍵装置識別情報Ｋ００３にも登録用特徴情報Ｆ１、Ｆ２、Ｆ３が関連付けられている。そして、登録用鍵装置識別情報Ｋ００１を有する鍵装置２ａを使用者Ｐａが所持し、登録用鍵装置識別情報Ｋ００２を有する鍵装置２ｂを使用者Ｐｂが所持し、登録用鍵装置識別情報Ｋ００３を有する鍵装置２ｃを使用者Ｐｃが所持する。これにより、図１６に示すように、使用者Ｐａ、Ｐｂ、Ｐｃは、各自が所持する鍵装置２ａ、２ｂ、２ｃを用いて、制御装置３ａを作動させ、電気錠７ａを解錠し、扉６ａを開けて室５ａに入ることができる。また、鍵装置２ａに使用者Ｐａ、Ｐｂ、Ｐｃ全員の指紋の特徴情報が割り当てられているので、使用者Ｐａだけでなく、使用者Ｐｂも使用者Ｐｃも鍵装置２ａを用いて電気錠７ａを解錠することができる。同様に、使用者Ｐａも使用者Ｐｃも鍵装置２ｂを用いて電気錠７ａを解錠することができ、使用者Ｐａも使用者Ｐｂも鍵装置２ｃを用いて電気錠７ａを解錠することができる。これにより、使用者Ｐａ、Ｐｂ、Ｐｃ以外の者が室５ａに入るのを確実に防止することができる一方で、使用者Ｐａ、Ｐｂ、Ｐｃ間で鍵装置２ａ、２ｂ、２ｃを共同使用し、室５ａに入ることの自由度を高めることができる。例えば、使用者Ｐａが鍵装置２ａを自宅に忘れて出社してしまっても、使用者Ｐａは使用者Ｐｂから鍵装置２ｂを一時的に借りて会社の室５ａに入ることができる。
【０１４１】
図１８および図１９は第２の活用例を示している。第２の活用例では、図１９に示すように、登録用鍵装置識別情報Ｋ００１に制御装置識別情報Ｌ００１が関連付けられている。さらに、登録用鍵装置識別情報Ｋ００１に登録用特徴情報Ｆ１、Ｆ２、Ｆ３が関連付けられている。そして、登録用鍵装置識別情報Ｋ００１を有する鍵装置２ａを使用者Ｐａ、Ｐｂ、Ｐｃのいずれか１人が所持する。これにより、図１８に示すように、使用者Ｐａ、Ｐｂ、Ｐｃはいずれも、鍵装置２ａを用いて制御装置３ａを作動させ、電気錠７ａを解錠し、室５ａに入ることができる。しかし、使用者の１人が鍵装置２ａを所持している間は、他の使用者は鍵装置２ａを用いることができないので、電気錠７ａを解錠することができない。これにより、使用者Ｐａ、Ｐｂ、Ｐｃ以外の者が室５ａに入るのを確実に防止することができるだけでなく、使用者Ｐａ、Ｐｂ、Ｐｃが室５ａに入るのを緩やかに制限することができる。例えば、使用者Ｐａを鍵装置２ａの管理責任者に任命し、使用者Ｐａに鍵装置２ａを管理させる。そして、使用者Ｐｂ、Ｐｃは、室５に入る正当な目的があるときに限り、使用者Ｐａから鍵装置２ａを借り受けるようにする。これにより、使用者Ｐａは室５ａの入室を緩やかに制限することができる。
【０１４２】
図２０および図２１は第３の活用例を示している。第３の活用例では、図２１に示すように、登録用鍵装置識別情報Ｋ００１に制御装置識別情報Ｌ００１、Ｌ００２、Ｌ００３が関連付けられている。また、登録用鍵装置識別情報Ｋ００２にも制御装置識別情報Ｌ００１、Ｌ００２、Ｌ００３が関連付けられ、登録用鍵装置識別情報Ｋ００３にも制御装置識別情報Ｌ００１、Ｌ００２、Ｌ００３が関連付けられている。さらに、登録用鍵装置識別情報Ｋ００１に登録用特徴情報Ｆ１、Ｆ２、Ｆ３が関連付けられている。また、登録用鍵装置識別情報Ｋ００２にも登録用特徴情報Ｆ１、Ｆ２、Ｆ３が関連付けられており、登録用鍵装置識別情報Ｋ００３にも登録用特徴情報Ｆ１、Ｆ２、Ｆ３が関連付けられている。そして、登録用鍵装置識別情報Ｋ００１を有する鍵装置２ａを使用者Ｐａが所持し、登録用鍵装置識別情報Ｋ００２を有する鍵装置２ｂを使用者Ｐｂが所持し、登録用鍵装置識別情報Ｋ００３を有する鍵装置２ｃを使用者Ｐｃが所持する。これにより、図２０に示すように、使用者Ｐａ、Ｐｂ、Ｐｃは、各自が所持する鍵装置２ａ、２ｂ、２ｃを用いて、制御装置３ａ、３ｂ、３ｃを作動させ、電気錠７ａ、７ｂ、７ｃを解錠し、室５ａ、５ｂ、５ｃに入ることができる。また、鍵装置２ａに使用者Ｐａ、Ｐｂ、Ｐｃ全員の指紋の特徴情報が割り当てられており、かつ鍵装置２ａに制御装置３ａ、３ｂ、３ｃ全部の制御装置識別情報が割り当てられているので、使用者Ｐａだけでなく、使用者Ｐｂも使用者Ｐｃも鍵装置２ａを用いて電気錠７ａ、７ｂ、７ｃを解錠することができる。同様に、使用者Ｐａも使用者Ｐｃも鍵装置２ｂを用いて電気錠７ａ、７ｂ、７ｃを解錠することができ、使用者Ｐａも使用者Ｐｂも鍵装置２ｃを用いて電気錠７ａ、７ｂ、７ｃを解錠することができる。これにより、使用者Ｐａ、Ｐｂ、Ｐｃ以外の者が室５ａ、５ｂ、５ｃに入るのを確実に防止することができる一方で、使用者Ｐａ、Ｐｂ、Ｐｃ間で鍵装置２ａ、２ｂ、２ｃを共同使用し、室５ａ、５ｂ、５ｃに入ることの自由度を高めることができる。各使用者Ｐａ、Ｐｂ、Ｐｃが各室５ａ、５ｂ、５ｃに頻繁に出入りする必要があるような場合など、このような活用の仕方が好適な場合もある。
【０１４３】
また、バイオメトリクス認証無線鍵錠システム１の活用例として、次のようなものも考えられる。すなわち、２個の鍵装置の登録用鍵装置識別情報のそれぞれに同一の制御装置識別情報を関連付ける。そして、第１の鍵装置から制御装置へのチェック用鍵装置識別情報または照合用特徴情報の送信と、第２鍵装置から制御装置へのチェック用鍵装置識別情報または照合用特徴情報の送信とがほぼ同時に（例えば約１秒程度の短い期間内に）行われ、かつ、両鍵装置につきチェック用鍵装置識別情報と登録用鍵装置識別情報との一致が確認され、かつ、両鍵装置につき照合用特徴情報と登録用特徴情報とが所定の同一性基準を満たすことが確認されたときに限り、電気錠の解錠動作を許可するようにする。この活用例によれば、２個の鍵装置をほぼ同時に使用しないと電気錠を解錠させることができないので、電気錠の解錠をきわめて厳格に制限することができる。また、３個以上の鍵装置をほぼ同時に使用しないと電気錠を解錠させることができないようにすることも可能であり、このようにすれば、電気錠の解錠をより一層厳格に制限することができる。
【０１４４】
（実施形態の効果など）
以上説明した通り、バイオメトリクス認証無線鍵錠システム１では、登録用鍵装置識別情報、制御装置識別情報および登録用特徴情報を管理装置４に登録し、これらを管理装置４に記憶する。さらに、登録用鍵装置識別情報と制御装置識別情報との関連付けの形成、および登録用鍵装置識別情報と登録用特徴情報との関連付けの形成も管理装置４において行い、これらの関連付けに関する情報も管理装置４に保持される。これにより、登録用鍵装置識別情報、制御装置識別情報および登録用特徴情報のそれぞれについて、登録・登録確認・登録抹消作業を、管理装置４を操作するだけで簡単に効率よく行うことができる。さらに、登録用鍵装置識別情報と制御装置識別情報との間に関連づけを形成し、追加し、消去しまたは変更する作業や、登録用鍵装置識別情報と登録用特徴情報との間に関連付けを形成し、追加し、消去しまたは変更する作業を、管理装置４を操作するだけで簡単に効率よく行うことができる。これらの作業を行うに当たり、各鍵装置２を回収したり、各室５に散在している制御装置３を操作するために建物内を巡回したりする必要はない。
【０１４５】
したがって、バイオメトリクス認証無線鍵錠システム１によれば、多数の鍵装置２および多数の制御装置３の登録管理、並びに各鍵装置２を共同使用する者の特徴情報の登録管理を簡単にかつ効率よく行うことができる。これにより、多数の鍵装置２および多数の制御装置３を有し、各鍵装置２に多数の特徴情報を割り当てることによって各鍵装置２を多数の者に共同使用させることを想定した大規模なバイオメトリクス認証無線鍵錠システムを構築することが可能になる。したがって、バイオメトリクス認証無線鍵錠システム１によれば、例えば、多数の室があり、各室を多数の者が利用する大きな建物の管理などを適切に行うことが可能になる。
【０１４６】
また、バイオメトリクス認証無線鍵錠システム１では、鍵装置２から制御装置３を介して管理装置４に照合用特徴情報（解錠承認要求信号）を送り、管理装置４において照合用特徴情報と登録用特徴情報との照合を行う。それゆえ、鍵装置２は照合用特徴情報も登録用特徴情報も保持しない。また、鍵装置２は初期鍵装置識別情報およびチェック用鍵装置識別情報を保持するが、これらの鍵装置識別情報は当該鍵装置２に専属し、基本的に変更不要の情報である。これにより、登録用特徴情報の追加登録作業または登録抹消作業を行うのに鍵装置２を操作する必要がない。したがって、登録用特徴情報の追加登録作業または登録抹消作業を行うに当たり、鍵装置２を回収する必要がない。
【０１４７】
また、制御装置識別情報の登録・登録抹消作業や、登録用鍵装置識別情報と制御装置識別情報との関連付けの追加・消去・変更作業を行うに当たり制御装置３を操作する必要がないので、制御装置３にユーザーインターフェースを設ける必要がなくなる。これにより、制御装置３を小型化することができ、制御装置３を既存の電気錠に組み込む（埋め込む）ことが可能になる。この結果、制御装置３を様々な電気錠に組み込むことが可能になり、バイオメトリクス認証無線鍵錠システム１で制御可能な電気錠の範囲を広げることができ、バイオメトリクス認証無線鍵錠システム１の汎用性を高めることができる。
【０１４８】
また、バイオメトリクス認証無線鍵錠システム１では、履歴情報処理部３８を管理装置４に設け、各鍵装置２および各制御装置３の使用履歴情報並びに各鍵装置２の使用者履歴情報を生成し、これらの履歴情報を記憶部３５に記録し、または表示装置や印刷装置、遠隔地にある端末などに出力する。鍵装置２の使用時（解錠制御処理実行時）には、鍵装置２から制御装置３を介して管理装置４にチェック用鍵装置識別情報および照合用特徴情報が送られる。さらに、制御装置３から管理装置４に制御装置識別情報が送られる。これにより、管理装置４は、チェック用鍵装置識別情報に基づいて鍵装置２の使用履歴情報を生成することができ、制御装置識別情報に基づいて制御装置３の使用履歴情報を生成することができ、照合用特徴情報に基づいて鍵装置使用者の使用者履歴情報を生成することができる。したがって、鍵装置２および制御装置３（室５）の使用状況を管理装置４により容易にかつ効率よく管理することができる。さらに、どの鍵装置２をどの制御装置３（室５）に対し誰が使用したかを管理装置４により把握することができるので、鍵装置２および制御装置３（室５）の使用状況をきめ細かく管理することができる。
【０１４９】
したがって、バイオメトリクス認証無線鍵錠システム１によれば、多数の鍵装置２および多数の制御装置３を有し、各鍵装置２に多数の特徴情報を割り当てることによって各鍵装置２を多数の者に共同使用させることを想定した大規模なバイオメトリクス認証無線鍵錠システム１を適切に運営することが可能になる。これにより、例えば、多数の室があり、各室を多数の者が利用する大きな建物の管理などを適切に行うことが可能になる。
【０１５０】
また、バイオメトリクス認証無線鍵錠システム１では、解錠制御処理において、チェック用鍵装置識別情報または登録用鍵装置識別情報を用いて、照合用特徴情報の照合対象となる登録用特徴情報を絞り込み、これら絞り込まれた登録用特徴情報に対してのみ、照合用特徴情報との照合処理を行う（図１４中のステップＳ５３およびステップＳ５４参照）。これにより、照合処理を短時間で行うことができる。したがって、多数の特徴情報を取り扱う場合でも、鍵装置使用時（解錠制御処理実行時）におけるバイオメトリクス認証無線鍵錠システム１のレスポンス性を高めることができる。
【０１５１】
また、バイオメトリクス認証無線鍵錠システム１では、解錠制御処理において、照合用特徴情報の照合対象となる登録用特徴情報の絞り込みを、鍵装置２が元来有している鍵装置識別情報（初期鍵装置識別情報、チェック用鍵装置識別情報または登録用鍵装置識別情報）を用いて行う（図１４中のステップＳ５３参照）。つまり、登録用特徴情報の絞り込みを行うための特別な情報を用いない。これにより、登録用特徴情報の絞り込みを単純な構成で実現することができる。また、チェック用鍵装置識別情報は、鍵装置２のチェック用鍵装置識別情報記憶部１４に記憶されており、鍵装置２の使用時にチェック用鍵装置識別情報記憶部１４から読み出され、鍵装置２から制御装置３を介して管理装置４に送られ、登録用特徴情報の絞り込みに用いられる。つまり、鍵装置使用者は、鍵装置２の使用時に、登録用特徴情報の絞り込みを行うための特別な情報（例えばパスワードや暗証番号など）を入力する必要がない。これにより、鍵装置２の使用者にとっての操作の容易性を高めることができる。また、鍵装置使用時に鍵装置使用者がパスワードや暗証番号などを手入力する必要がないので、パスワードや暗証番号などを手入力するためのユーザーインターフェース（例えばテンキーなど）を鍵装置２にも制御装置３にも設ける必要がない。これにより、鍵装置２の小型化を図ることができ、制御装置３の小型化を図ることができる。特に制御装置３の小型化を図ることができるので、制御装置３を既存の電気錠７に容易に組み込むことが可能となり、これにより鍵錠システムを用いて様々な既存の電気錠７を制御することが可能になる。
【０１５２】
なお、上述した実施形態のバイオメトリクス認証無線鍵錠システム１では、図８に示す鍵装置識別情報登録処理において、鍵装置２と管理装置４との間で初期鍵装置識別情報およびチェック用鍵装置識別情報の送受信を無線通信方式により行う場合を例にあげたが、本発明はこれに限られない。鍵装置２と管理装置４とをケーブルで接続し、両者間で初期鍵装置識別情報およびチェック用鍵装置識別情報の送受信をケーブルを介して行ってもよい。
【０１５３】
また、上述した実施形態のバイオメトリクス認証無線鍵錠システム１では、鍵装置２が有する初期鍵装置識別情報を暗号化したものをチェック用鍵装置識別情報として用いる場合を例にあげたが、本発明はこれに限られない。鍵装置２が有する初期鍵装置識別情報を暗号化せずにそのままチェック用鍵装置識別情報として用いてもよい。もっとも、初期鍵装置識別情報を暗号化したものをチェック用鍵装置識別情報と用いる方がセキュリティ性を高めることができる。
【０１５４】
また、上述した実施形態のバイオメトリクス認証無線鍵錠システム１では、管理装置４に登録用特徴情報取得部４１を設け、図１０に示す特徴情報登録処理において、登録用特徴情報取得部４１を用いて、新たな使用者の指紋の登録用特徴情報を取得する場合を例にあげたが、本発明はこれに限られない。新たな使用者の指紋の登録用特徴情報の取得に鍵装置２の特徴情報取得部１２を用いてもよい。
【０１５５】
また、上述した実施形態のバイオメトリクス認証無線鍵錠システム１において、制御装置識別情報と登録用特徴情報との関連付けを形成してもよい。
【０１５６】
また、上述した実施形態のバイオメトリクス認証無線鍵錠システム１では、人体の特徴を示す特徴情報として、指紋の特徴を示す特徴情報を用いる場合を例にあげたが、本発明はこれに限られない。人体の特徴を示す情報として、例えば掌、静脈、虹彩、顔面または声紋などの特徴を示す情報を用いることができる。
【０１５７】
また、本発明のバイオメトリクス認証無線鍵錠システムにおける鍵装置と制御装置との間の無線通信には、電波を用いてもよいし、赤外線を用いてもよい。また、鍵装置と制御装置との無線通信方式は、移動通信網などを介さずに、両者互いに直接的に通信する方式であることが望ましい。
【０１５８】
また、上述した実施形態のバイオメトリクス認証無線鍵錠システム１では、各制御装置３と管理装置４との間を有線通信路８により接続する場合を例にあげたが、本発明はこれに限られない。各制御装置３と管理装置４との間を例えば無線ＬＡＮなどの無線通信手段により接続してもよい。
【０１５９】
また、本発明のバイオメトリクス認証無線鍵錠システムにおいて、鍵装置の個数および制御装置の個数は限定されない。また、上述した実施形態では、バイオメトリクス認証無線鍵錠システム１により電気錠７の解錠を制御する場合を例にあげたが、本発明はこれに限られない。本発明のバイオメトリクス認証無線鍵錠システム１は、扉の施錠、自動車エンジンの始動、医療機器の操作、コンピュータの起動、コンピュータシステムへのログイン、ファクトリーオートメーションシステムの操作その他機器、装置またはシステムなどの動作を制御することができる。
【０１６０】
また、図２中の初期鍵装置識別情報記憶部１１またはチェック用鍵装置識別情報記憶部１４が第１鍵装置識別情報記憶手段の具体例であり、無線通信部１３が識別情報送信手段および特徴情報送信手段の具体例であり、特徴情報取得部１２が特徴情報取得手段の具体例である。
【０１６１】
また、図３中の無線通信部２１および有線通信部２２が識別情報転送手段および特徴情報転送手段の具体例であり、制御信号出力部２３が制御信号出力手段の具体例である。
【０１６２】
また、図４中の識別情報登録関連処理部３２が識別情報登録関連処理手段の具体例であり、特徴情報登録関連処理部３３が特徴情報登録関連処理手段の具体例であり、関連付け処理部３４が第１関連付け形成手段、第２関連付け形成手段および関連付け変更手段の具体例であり、有線通信部３１が識別情報受取手段および特徴情報受取手段の具体例であり、記憶部３５が第２鍵装置識別情報記憶手段、特徴情報記憶手段および制御装置識別情報記憶手段の具体例であり、識別情報一致判断部３６が識別情報選択手段の具体例であり、特徴情報照合部３７が特徴情報絞込手段および特徴情報選択手段の具体例であり、特徴情報照合部３７および有線通信部３１が制御指令送出手段の具体例であり、履歴情報処理部３８が履歴情報記録手段の具体例であり、情報出力部３９が履歴情報出力手段の具体例である。また、記憶部３５は、履歴情報記録手段が使用履歴情報および使用者履歴情報を記憶するのに用いる記録装置の具体例でもある。
【０１６３】
また、初期鍵装置識別情報またはチェック用鍵装置識別情報が第１鍵装置識別情報の具体例であり、登録用鍵装置識別情報が第２鍵装置識別情報の具体例であり、照合用特徴情報が第１特徴情報の具体例であり、登録用特徴情報が第２特徴情報の具体例である。
【０１６４】
また、本発明は、請求の範囲および明細書全体から読み取るこのできる発明の要旨または思想に反しない範囲で適宜変更可能であり、そのような変更を伴う鍵錠システム、管理装置およびコンピュータプログラムもまた本発明の技術思想に含まれる。
【図面の簡単な説明】
【０１６５】
【図１】本発明の実施形態であるバイオメトリクス認証無線鍵錠システムを示すブロック図である。
【図２】図１中の各鍵装置の構造を示すブロック図である。
【図３】図１中の各制御装置の構造を示すブロック図である。
【図４】図１中の管理装置の構造を示すブロック図である。
【図５】管理装置の記憶部に記憶された鍵装置−特徴情報テーブル、鍵装置−制御装置テーブルおよび特徴情報−使用者テーブルを示す説明図である。
【図６】本発明の鍵錠システムのより具体的な実施例を示すブロック図である。
【図７】本発明の鍵錠システムにおける鍵装置の外観構成の実施例を示す斜視図である。
【図８】本発明の実施形態であるバイオメトリクス認証無線鍵錠システムにおける鍵装置識別情報登録処理を示すフローチャートである。
【図９】本発明の実施形態であるバイオメトリクス認証無線鍵錠システムにおける制御装置識別情報登録処理を示すフローチャートである。
【図１０】本発明の実施形態であるバイオメトリクス認証無線鍵錠システムにおける特徴情報登録処理を示すフローチャートである。
【図１１】登録・抹消指示入力フォームの具体例を示す説明図である。
【図１２】関連付け指示入力フォームの具体例を示す説明図である。
【図１３】本発明の実施形態であるバイオメトリクス認証無線鍵錠システムにおける解錠制御処理を示すフローチャートである。
【図１４】図１３の解錠制御処理の続きを示すフローチャートである。
【図１５】履歴情報テーブルを示す説明図である。
【図１６】本発明の実施形態であるバイオメトリクス認証無線鍵錠システムの第１の活用例を示す説明図である。
【図１７】本発明の実施形態であるバイオメトリクス認証無線鍵錠システムの第１の活用例を示す説明図である。
【図１８】本発明の実施形態であるバイオメトリクス認証無線鍵錠システムの第２の活用例を示す説明図である。
【図１９】本発明の実施形態であるバイオメトリクス認証無線鍵錠システムの第２の活用例を示す説明図である。
【図２０】本発明の実施形態であるバイオメトリクス認証無線鍵錠システムの第３の活用例を示す説明図である。
【図２１】本発明の実施形態であるバイオメトリクス認証無線鍵錠システムの第３の活用例を示す説明図である。
【符号の説明】
【０１６６】
１  バイオメトリクス認証無線鍵錠システム
２  鍵装置
３  制御装置
４  管理装置
７  電気錠
１１  初期鍵装置識別情報記憶部
１２  特徴情報取得部
１３  無線通信部
２１  無線通信部
２２  有線通信部
２３  制御信号出力部
３１  有線通信部
３２  識別情報登録関連処理部
３３  特徴情報登録関連処理部
３４  関連付け処理部
３５  記憶部
３６  識別情報一致判断部
３７  特徴情報照合部
３８  履歴情報処理部
３９  情報出力部
【図１】
2008280810.tif 000003
【図２】
2008280810.tif 000004
【図３】
2008280810.tif 000005
【図４】
2008280810.tif 000006
【図５】
2008280810.tif 000007
【図６】
2008280810.tif 000008
【図７】
2008280810.tif 000009
【図８】
2008280810.tif 000010
【図９】
2008280810.tif 000011
【図１０】
2008280810.tif 000012
【図１１】
2008280810.tif 000013
【図１２】
2008280810.tif 000014
【図１３】
2008280810.tif 000015
【図１４】
2008280810.tif 000016
【図１５】
2008280810.tif 000017
【図１６】
2008280810.tif 000018
【図１７】
2008280810.tif 000019
【図１８】
2008280810.tif 000020
【図１９】
2008280810.tif 000021
【図２０】
2008280810.tif 000022
【図２１】
2008280810.tif 000023
【手続補正書】
【提出日】平成19年8月24日(2007.8.24)
【手続補正１】
【補正対象書類名】特許請求の範囲
【補正対象項目名】請求項１
【補正方法】変更
【補正の内容】
【請求項１】
複数の鍵装置、制御装置および管理装置を備えた鍵錠システムであって、
前記各鍵装置は、
当該鍵装置を識別するための情報を第１の鍵装置識別情報として記憶する第１鍵装置識別情報記憶手段と、
前記第１鍵装置識別情報記憶手段に記憶された第１の鍵装置識別情報を無線通信方式により送信する識別情報送信手段と、
人体の特徴を示す特徴情報を人体から取得する特徴情報取得手段と、
前記特徴情報取得手段により取得された特徴情報を第１の特徴情報として無線通信方式により送信する特徴情報送信手段とを備え、
前記制御装置は、
前記識別情報送信手段により送信された第１の鍵装置識別情報を受信し、この第１の鍵装置識別情報を前記管理装置に転送する識別情報転送手段と、
前記特徴情報送信手段により送信された第１の特徴情報を受信し、この第１の特徴情報を前記管理装置に転送する特徴情報転送手段と、
前記管理装置から送られた制御指令を受け取り、この制御指令に基づき、被制御装置に特定動作を行わせるための制御信号を前記被制御装置に出力する制御信号出力手段とを備え、
前記管理装置は、
前記各鍵装置を識別するための情報を第２の鍵装置識別情報として登録し、および前記第２の鍵装置識別情報の登録を抹消する識別情報登録関連処理手段と、
前記識別情報登録関連処理手段により登録された複数の前記第２の鍵装置識別情報を記憶する第２鍵装置識別情報記憶手段と、
人体の特徴を示す特徴情報を第２の特徴情報として登録し、および前記第２の特徴情報の登録を抹消する特徴情報登録関連処理手段と、
前記特徴情報登録関連処理手段により登録された複数の前記第２の特徴情報を記憶する特徴情報記憶手段と、
前記識別情報登録関連処理手段により登録された第２の鍵装置識別情報と、前記特徴情報登録関連処理手段により登録された複数の第２の特徴情報との間に関連付けを形成する第１関連付け形成手段と、
前記識別情報転送手段により転送された第１の鍵装置識別情報を受け取る識別情報受取手段と、
前記識別情報受取手段により受け取られた第１の鍵装置識別情報と一致する第２の鍵装置識別情報を、前記第２鍵装置識別情報記憶手段に記憶された複数の第２の鍵装置識別情報の中から選択する識別情報選択手段と、
前記識別情報選択手段により選択された第２の鍵装置識別情報に関連付けられた複数の第２の特徴情報を、前記特徴情報記憶手段に記憶された複数の第２の特徴情報の中から選択する特徴情報絞込手段と、
前記特徴情報転送手段により転送された第１の特徴情報を受け取る特徴情報受取手段と、
前記特徴情報受取手段により受け取られた第１の特徴情報との間において所定の同一性基準を満たす第２の特徴情報を、前記特徴情報絞込手段により選択された複数の第２の特徴情報の中から選択する特徴情報選択手段と、
前記特徴情報選択手段により第２の特徴情報の選択が成功した場合に、前記被制御装置に特定動作を行わせるための前記制御指令を前記制御装置に送る制御指令送出手段とを備えていることを特徴とする鍵錠システム。
【手続補正２】
【補正対象書類名】特許請求の範囲
【補正対象項目名】請求項２
【補正方法】変更
【補正の内容】
【請求項２】
複数の前記制御装置を備え、
前記管理装置は、
前記各制御装置の制御装置識別情報を記憶する制御装置識別情報記憶手段と、
前記制御装置識別情報記憶手段に記憶された制御装置識別情報と前記識別情報登録関連処理手段により登録された第２の鍵装置識別情報との間に関連付けを形成する第２関連付け形成手段とをさらに備え、
前記識別情報選択手段は、前記第２鍵装置識別情報記憶手段および前記制御装置識別情報記憶手段を参照し、これにより、前記識別情報受取手段により受け取られた第１の鍵装置識別情報の転送元である制御装置の制御装置識別情報に関連付けられ、かつ前記識別情報受取手段により受け取られた第１の鍵装置識別情報と一致する第２の鍵装置識別情報を選択することを特徴とする請求項１に記載の鍵錠システム。
【手続補正３】
【補正対象書類名】特許請求の範囲
【補正対象項目名】請求項３
【補正方法】変更
【補正の内容】
【請求項３】
前記管理装置は、前記識別情報登録関連処理手段により登録された第２の鍵装置識別情報と前記特徴情報登録関連処理手段により登録された第２の特徴情報との間の関連付けを追加し、消去しまたは変更する関連付け変更手段をさらに備えていることを特徴とする請求項１に記載の鍵錠システム。
【手続補正４】
【補正対象書類名】特許請求の範囲
【補正対象項目名】請求項４
【補正方法】変更
【補正の内容】
【請求項４】
前記管理装置は、
前記識別情報受取手段により受け取られた第１の鍵装置識別情報に基づいて前記鍵装置の使用履歴を示す使用履歴情報を生成し、かつ、前記特徴情報受取手段により受け取られた第１の特徴情報に基づいて前記鍵装置の使用者履歴を示す使用者履歴情報を生成し、これら使用履歴情報および使用者履歴情報を記録装置に記録する履歴情報記録手段と、
前記履歴情報記録手段により前記記録装置に記録された使用履歴情報および使用者履歴情報を出力する履歴情報出力手段とをさらに備えていることを特徴とする請求項１に記載の鍵錠システム。
【手続補正５】
【補正対象書類名】特許請求の範囲
【補正対象項目名】請求項５
【補正方法】変更
【補正の内容】
【請求項５】
自らを識別するための情報を第１の鍵装置識別情報として記憶する第１鍵装置識別情報記憶手段と、前記第１鍵装置識別情報記憶手段に記憶された第１の鍵装置識別情報を無線通信方式により送信する識別情報送信手段と、人体の特徴を示す特徴情報を人体から取得する特徴情報取得手段と、前記特徴情報取得手段により取得された特徴情報を第１の特徴情報として無線通信方式により送信する特徴情報送信手段とを備えた複数の鍵装置と、
前記識別情報送信手段により送信された第１の鍵装置識別情報を受信し、この第１の鍵装置識別情報を転送する識別情報転送手段と、前記特徴情報送信手段により送信された第１の特徴情報を受信し、この第１の特徴情報を転送する特徴情報転送手段と、制御指令を受け取り、この制御指令に基づき、被制御装置に特定動作を行わせるための制御信号を前記被制御装置に出力する制御信号出力手段とを備えた制御装置と共に鍵錠システムを構成する管理装置であって、
前記各鍵装置を識別するための情報を第２の鍵装置識別情報として登録し、および前記第２の鍵装置識別情報の登録を抹消する識別情報登録関連処理手段と、
前記識別情報登録関連処理手段により登録された複数の前記第２の鍵装置識別情報を記憶する第２鍵装置識別情報記憶手段と、
人体の特徴を示す特徴情報を第２の特徴情報として登録し、および前記第２の特徴情報の登録を抹消する特徴情報登録関連処理手段と、
前記特徴情報登録関連処理手段により登録された複数の前記第２の特徴情報を記憶する特徴情報記憶手段と、
前記識別情報登録関連処理手段により登録された第２の鍵装置識別情報と、前記特徴情報登録関連処理手段により登録された複数の第２の特徴情報との間に関連付けを形成する第１関連付け形成手段と、
前記識別情報転送手段により転送された第１の鍵装置識別情報を受け取る識別情報受取手段と、
前記識別情報受取手段により受け取られた第１の鍵装置識別情報と一致する第２の鍵装置識別情報を、前記第２鍵装置識別情報記憶手段に記憶された複数の第２の鍵装置識別情報の中から選択する識別情報選択手段と、
前記識別情報選択手段により選択された第２の鍵装置識別情報に関連付けられた複数の第２の特徴情報を、前記特徴情報記憶手段に記憶された複数の第２の特徴情報の中から選択する特徴情報絞込手段と、
前記特徴情報転送手段により転送された第１の特徴情報を受け取る特徴情報受取手段と、
前記特徴情報受取手段により受け取られた第１の特徴情報との間において所定の同一性基準を満たす第２の特徴情報を、前記特徴情報絞込手段により選択された複数の第２の特徴情報の中から選択する特徴情報選択手段と、
前記特徴情報選択手段により第２の特徴情報の選択が成功した場合に、前記被制御装置に特定動作を行わせるための前記制御指令を前記制御装置に送る制御指令送出手段とを備えていることを特徴とする管理装置。
【手続補正６】
【補正対象書類名】明細書
【補正対象項目名】００２２
【補正方法】変更
【補正の内容】
【００２２】
上記課題を解決するために第１の発明は、複数の鍵装置、制御装置および管理装置を備えた鍵錠システムであって、前記各鍵装置は、当該鍵装置を識別するための情報を第１の鍵装置識別情報として記憶する第１鍵装置識別情報記憶手段と、前記第１鍵装置識別情報記憶手段に記憶された第１の鍵装置識別情報を無線通信方式により送信する識別情報送信手段と、人体の特徴を示す特徴情報を人体から取得する特徴情報取得手段と、前記特徴情報取得手段により取得された特徴情報を第１の特徴情報として無線通信方式により送信する特徴情報送信手段とを備えている。前記制御装置は、前記識別情報送信手段により送信された第１の鍵装置識別情報を受信し、この第１の鍵装置識別情報を前記管理装置に転送する識別情報転送手段と、前記特徴情報送信手段により送信された第１の特徴情報を受信し、この第１の特徴情報を前記管理装置に転送する特徴情報転送手段と、前記管理装置から送られた制御指令を受け取り、この制御指令に基づき、被制御装置に特定動作を行わせるための制御信号を前記被制御装置に出力する制御信号出力手段とを備えている。前記管理装置は、前記各鍵装置を識別するための情報を第２の鍵装置識別情報として登録し、および第２の鍵装置識別情報の登録を抹消する識別情報登録関連処理手段と、前記識別情報登録関連処理手段により登録された複数の前記第２の鍵装置識別情報を記憶する第２鍵装置識別情報記憶手段と、人体の特徴を示す特徴情報を第２の特徴情報として登録し、および第２の特徴情報の登録を抹消する特徴情報登録関連処理手段と、前記特徴情報登録関連処理手段により登録された複数の前記第２の特徴情報を記憶する特徴情報記憶手段と、前記識別情報登録関連処理手段により登録された第２の鍵装置識別情報と、前記特徴情報登録関連処理手段により登録された複数の第２の特徴情報との間に関連付けを形成する第１関連付け形成手段と、前記識別情報転送手段により転送された第１の鍵装置識別情報を受け取る識別情報受取手段と、前記識別情報受取手段により受け取られた第１の鍵装置識別情報と一致する第２の鍵装置識別情報を、前記第２鍵装置識別情報記憶手段に記憶された複数の第２の鍵装置識別情報の中から選択する識別情報選択手段と、前記識別情報選択手段により選択された第２の鍵装置識別情報に関連付けられた複数の第２の特徴情報を、前記特徴情報記憶手段に記憶された複数の第２の特徴情報の中から選択する特徴情報絞込手段と、前記特徴情報転送手段により転送された第１の特徴情報を受け取る特徴情報受取手段と、前記特徴情報受取手段により受け取られた第１の特徴情報との間において所定の同一性基準を満たす第２の特徴情報を、前記特徴情報絞込手段により選択された複数の第２の特徴情報の中から選択する特徴情報選択手段と、前記特徴情報選択手段により第２の特徴情報の選択が成功した場合に、前記被制御装置に特定動作を行わせるための前記制御指令を前記制御装置に送る制御指令送出手段とを備えている。
【手続補正７】
【補正対象書類名】明細書
【補正対象項目名】００２３
【補正方法】変更
【補正の内容】
【００２３】
また、第１の発明の鍵錠システムにおいて、複数の制御装置を備えてもよい。この場合、前記管理装置には、前記各制御装置の制御装置識別情報を記憶する制御装置識別情報記憶手段と、前記制御装置識別情報記憶手段に記憶された制御装置識別情報と前記識別情報登録関連処理手段により登録された第２の鍵装置識別情報との間に関連付けを形成する第２関連付け形成手段とを追加する。そして、前記識別情報選択手段は、前記第２鍵装置識別情報記憶手段および前記制御装置識別情報記憶手段を参照し、これにより、前記識別情報受取手段により受け取られた第１の鍵装置識別情報の転送元である制御装置の制御装置識別情報に関連付けられ、かつ前記識別情報受取手段により受け取られた第１の鍵装置識別情報と一致する第２の鍵装置識別情報を選択する。
【手続補正８】
【補正対象書類名】明細書
【補正対象項目名】００２４
【補正方法】変更
【補正の内容】
【００２４】
また、第１の発明の鍵錠システムにおいて、前記管理装置には、前記識別情報登録関連処理手段により登録された第２の鍵装置識別情報と前記特徴情報登録関連処理手段により登録された第２の特徴情報との間の関連付けを追加し、消去しまたは変更する関連付け変更手段を追加してもよい。
【手続補正９】
【補正対象書類名】明細書
【補正対象項目名】００２５
【補正方法】変更
【補正の内容】
【００２５】
また、第１の発明の鍵錠システムにおいて、前記管理装置には、前記識別情報受取手段により受け取られた第１の鍵装置識別情報に基づいて前記鍵装置の使用履歴を示す使用履歴情報を生成し、かつ、前記特徴情報受取手段により受け取られた第１の特徴情報に基づいて前記鍵装置の使用者履歴を示す使用者履歴情報を生成し、これら使用履歴情報および使用者履歴情報を記録装置に記録する履歴情報記録手段と、前記履歴情報記録手段により前記記録装置に記録された使用履歴情報および使用者履歴情報を出力する履歴情報出力手段とを追加してもよい。
【手続補正１０】
【補正対象書類名】明細書
【補正対象項目名】００２６
【補正方法】変更
【補正の内容】
【００２６】
一方、上記課題を解決するために第２の発明は、自らを識別するための情報を第１の鍵装置識別情報として記憶する第１鍵装置識別情報記憶手段と、前記第１鍵装置識別情報記憶手段に記憶された第１の鍵装置識別情報を無線通信方式により送信する識別情報送信手段と、人体の特徴を示す特徴情報を人体から取得する特徴情報取得手段と、前記特徴情報取得手段により取得された特徴情報を第１の特徴情報として無線通信方式により送信する特徴情報送信手段とを備えた複数の鍵装置と、前記識別情報送信手段により送信された第１の鍵装置識別情報を受信し、この第１の鍵装置識別情報を転送する識別情報転送手段と、前記特徴情報送信手段により送信された第１の特徴情報を受信し、この第１の特徴情報を転送する特徴情報転送手段と、制御指令を受け取り、この制御指令に基づき、被制御装置に特定動作を行わせるための制御信号を前記被制御装置に出力する制御信号出力手段とを備えた制御装置と共に鍵錠システムを構成する管理装置であって、前記各鍵装置を識別するための情報を第２の鍵装置識別情報として登録し、および第２の鍵装置識別情報の登録を抹消する識別情報登録関連処理手段と、前記識別情報登録関連処理手段により登録された複数の前記第２の鍵装置識別情報を記憶する第２鍵装置識別情報記憶手段と、人体の特徴を示す特徴情報を第２の特徴情報として登録し、および第２の特徴情報の登録を抹消する特徴情報登録関連処理手段と、前記特徴情報登録関連処理手段により登録された複数の前記第２の特徴情報を記憶する特徴情報記憶手段と、前記識別情報登録関連処理手段により登録された第２の鍵装置識別情報と、前記特徴情報登録関連処理手段により登録された複数の第２の特徴情報との間に関連付けを形成する第１関連付け形成手段と、前記識別情報転送手段により転送された第１の鍵装置識別情報を受け取る識別情報受取手段と、前記識別情報受取手段により受け取られた第１の鍵装置識別情報と一致する第２の鍵装置識別情報を、前記第２鍵装置識別情報記憶手段に記憶された複数の第２の鍵装置識別情報の中から選択する識別情報選択手段と、前記識別情報選択手段により選択された第２の鍵装置識別情報に関連付けられた複数の第２の特徴情報を、前記特徴情報記憶手段に記憶された複数の第２の特徴情報の中から選択する特徴情報絞込手段と、前記特徴情報転送手段により転送された第１の特徴情報を受け取る特徴情報受取手段と、前記特徴情報受取手段により受け取られた第１の特徴情報との間において所定の同一性基準を満たす第２の特徴情報を、前記特徴情報絞込手段により選択された複数の第２の特徴情報の中から選択する特徴情報選択手段と、前記特徴情報選択手段により第２の特徴情報の選択が成功した場合に、前記被制御装置に特定動作を行わせるための前記制御指令を前記制御装置に送る制御指令送出手段とを備えている。
【手続補正１１】
【補正対象書類名】明細書
【補正対象項目名】００２７
【補正方法】変更
【補正の内容】
【００２７】
上述した第１の発明の鍵錠システムでは、第２の鍵装置識別情報および第２の特徴情報を管理装置に登録し、管理装置に記憶する。さらに、第２の鍵装置識別情報と第２の特徴情報との関連付けの形成も管理装置において行い、これらの関連付けに関する情報も管理装置に保持される。これにより、第２の鍵装置識別情報および第２の特徴情報を登録する作業、並びに第２の鍵装置識別情報と第２の特徴情報との間に関連付けを形成する作業を、管理装置を操作するだけで簡単に効率よく行うことができる。また、すでに登録された第２の鍵装置識別情報、すでに登録された第２の特徴情報、およびすでに形成された第２の鍵装置識別情報と第２の特徴情報との関連付けの確認作業を、管理装置を操作するだけで簡単に効率よく行うことができる。また、第２の鍵装置識別情報の登録抹消作業および第２の特徴情報の登録抹消作業を、管理装置を操作するだけで簡単に効率よく行うことが可能になる。
【手続補正１２】
【補正対象書類名】明細書
【補正対象項目名】００２８
【補正方法】変更
【補正の内容】
【００２８】
また、第２の鍵装置識別情報と第２の特徴情報との間の関連付けを追加し、消去しまたは変更する関連付け変更手段を管理装置に追加することにより、第２の鍵装置識別情報と第２の特徴情報との関連付けを追加し、消去しまたは変更する作業を、管理装置を操作するだけで簡単に効率よく行うことが可能になる。
【手続補正１３】
【補正対象書類名】明細書
【補正対象項目名】００２９
【補正方法】変更
【補正の内容】
【００２９】
また、上述した第１の発明の鍵錠システムでは、鍵装置から制御装置を介して管理装置に第１の特徴情報を送り、管理装置において第１の特徴情報と第２の特徴情報との照合を行う。それゆえ、鍵装置は第１の特徴情報も第２の特徴情報も保持しない。また、鍵装置は第１の鍵装置識別情報を保持するが、第１の鍵装置識別情報は当該鍵装置に専属し、基本的に変更不要の情報である。これにより、第２の特徴情報の追加登録作業または登録抹消作業を行うのに鍵装置を操作する必要がない。したがって、第２の特徴情報の追加登録作業または登録抹消作業を行うに当たり、鍵装置を回収する必要がない。
【手続補正１４】
【補正対象書類名】明細書
【補正対象項目名】００３１
【補正方法】変更
【補正の内容】
【００３１】
また、第１の発明の鍵錠システムにおいて、複数の制御装置を備える場合には、各制御装置の制御装置識別情報を管理装置に記憶する。また、制御装置識別情報と第２の鍵装置識別情報との間の関連付けの形成を管理装置において行い、これらの関連付けに関する情報も管理装置に保持される。これにより、使用する鍵装置の個数の変更を、管理装置を操作するだけで簡単に行うことができる。すなわち、新しい鍵装置を追加したり、使用しなくなった鍵装置を排除したりする場合には、この鍵装置の第２の鍵装置識別情報と制御装置識別情報との関連付けを追加しまたは消去する作業をしなければならない。この作業を各制御装置を操作することなく、管理装置を操作するだけで簡単に行うことができる。特に、制御装置の個数が多い場合には、各制御装置を逐一操作する必要がないので、作業を大幅に簡単化することができ、作業効率を高めることができる。また、鍵装置と制御装置との対応関係を変更する場合には、第２の鍵装置識別情報と制御装置識別情報との関連付けを変更する作業をしなければならないが、この作業も各制御装置を操作することなく、管理装置を操作するだけで簡単に行うことができる。
【手続補正１５】
【補正対象書類名】明細書
【補正対象項目名】００３２
【補正方法】変更
【補正の内容】
【００３２】
また、第２の鍵装置識別情報と制御装置識別情報との関連付けの追加・消去・変更作業を行うに当たり制御装置を操作する必要がないので、制御装置にユーザーインターフェースを設ける必要がなくなる。これにより、制御装置を小型化することができ、制御装置を既存の被制御装置に組み込む（埋め込む）ことが可能になる。この結果、制御装置を様々な被制御装置に組み込むことが可能になり、鍵錠システムで制御可能な被制御装置の範囲を広げることができ、鍵錠システムの汎用性を高めることができる。
【手続補正１６】
【補正対象書類名】明細書
【補正対象項目名】００３３
【補正方法】変更
【補正の内容】
【００３３】
また、第１の発明の鍵錠システムにおいて、履歴情報記録手段および履歴情報出力手段を管理装置に追加し、各鍵装置の使用履歴を示す使用履歴情報および各鍵装置の使用者履歴を示す使用者履歴情報を生成し、これらの履歴情報を記録装置に記録し、または表示装置や印刷装置、遠隔地にある端末などに出力するようにしてもよい。鍵装置の使用時（被制御装置を実際に動作させるとき）には、鍵装置から制御装置を介して管理装置に第１の鍵装置識別情報および第１の特徴情報が送られる。これにより、管理装置は、第１の鍵装置識別情報に基づいて鍵装置の使用履歴情報を生成することができ、第１の特徴情報に基づいて鍵装置使用者の使用者履歴情報を生成することができる。このような構成を備えた鍵錠システムによれば、鍵装置の使用状況を管理装置により容易にかつ効率よく管理することができる。さらに、どの鍵装置を誰が使用したかを管理装置により把握することができるので、鍵装置の使用状況をきめ細かく管理することができる。これにより、多数の鍵装置を有し、各鍵装置に多数の特徴情報を割り当てることによって各鍵装置を多数の者に共同使用させることを想定した大規模な鍵錠システムを適切に運営することが可能になる。したがって、多数の被制御装置があり、各被制御装置の動作制御を多数の者が行う場合であっても、各被制御装置の動作の管理を適切に行うことが可能になる。
【手続補正１７】
【補正対象書類名】明細書
【補正対象項目名】００３４
【補正方法】変更
【補正の内容】
【００３４】
また、第１の発明の鍵錠システムでは、鍵装置から制御装置を介して管理装置に送られた第１の特徴情報と、管理装置に登録されている第２の特徴情報とを照合し、第１の特徴情報との間において所定の同一性基準を満たす第２の特徴情報を選択する。この第２の特徴情報の選択が成功したときに、被制御装置の動作を許可する。第１の発明の鍵錠システムは、この第２の特徴情報の選択を次のように行う。まず、鍵装置から制御装置を介して送られた第１の鍵装置識別情報と一致する第２の鍵装置識別情報を選択する。続いて、この第２の鍵装置識別情報に関連付けられた複数の第２の特徴情報を、管理装置に記憶された多数の第２の特徴情報の中から選択する。続いて、これら選択された複数の第２の特徴情報のそれぞれと、鍵装置から制御装置を介して送られた第１の特徴情報とを照合し、この第１の特徴情報との間において所定の同一性基準を満たす第２の特徴情報を選択する。つまり、第１の鍵装置識別情報または第２の鍵装置識別情報を用いて、第１の特徴情報の照合相手となる第２の特徴情報を絞り込み、これら絞り込まれた第２の特徴情報に対してのみ、第１の特徴情報との照合処理を行う。これにより、照合処理を短時間で行うことができる。したがって、多数の特徴情報を取り扱う場合でも、鍵装置使用時（被制御装置を実際に動作させるとき）における鍵錠システムのレスポンス性を高めることができる。
【手続補正１８】
【補正対象書類名】明細書
【補正対象項目名】００３５
【補正方法】変更
【補正の内容】
【００３５】
また、第１の発明の鍵錠システムでは、第１の特徴情報の照合相手となる第２の特徴情報の絞り込みを、鍵装置が元来有している鍵装置識別情報（第１の鍵装置識別情報または第２の鍵装置識別情報）を用いて行う。つまり、第２の特徴情報の絞り込みを行うための特別な情報を用いない。これにより、第２の特徴情報の絞り込みを単純な構成で実現することができる。また、鍵装置識別情報は、鍵装置の記憶手段に記憶されており、鍵装置の使用時にその記憶手段から読み出され、鍵装置から制御装置を介して管理装置に送られ、第２の特徴情報の絞り込みに用いられる。つまり、鍵装置使用者は、鍵装置使用時に、第２の特徴情報の絞り込みを行うための特別な情報（例えばパスワードや暗証番号など）を入力する必要がない。これにより、鍵装置使用者にとっての操作の容易性を高めることができる。また、鍵装置使用時に鍵装置使用者がパスワードや暗証番号などを手入力する必要がないので、パスワードや暗証番号などを手入力するためのユーザーインターフェース（例えばテンキーなど）を鍵装置にも制御装置にも設ける必要がない。これにより、鍵装置の小型化を図ることができ、制御装置の小型化を図ることができる。特に制御装置の小型化を図ることができるので、制御装置を既存の被制御装置に容易に組み込むことが可能となり、これにより鍵錠システムを用いて様々な既存の被制御装置を制御することが可能になる。
【手続補正１９】
【補正対象書類名】明細書
【補正対象項目名】０１６３
【補正方法】変更
【補正の内容】
【０１６３】
また、初期鍵装置識別情報またはチェック用鍵装置識別情報が第１の鍵装置識別情報の具体例であり、登録用鍵装置識別情報が第２の鍵装置識別情報の具体例であり、照合用特徴情報が第１の特徴情報の具体例であり、登録用特徴情報が第２の特徴情報の具体例である。